(57)【要約】【課題】透明な遊技盤に植設された障害釘の調整の際に不具合が発生するのを防止することができる遊技機を提供する。【解決手段】パチンコ機に、遊技者の操作によって遊技球が打ち込まれ、少なくとも所定配列で複数の障害釘２０１が前面側から植設される遊技領域３７を有した透明樹脂からなる遊技パネル２００を備えた遊技盤５と、遊技パネル２００の後面側に配置され、障害釘２０１における植設側先端が遊技パネル２００の後面から突出するのを規制する透明樹脂からなる保護部材２０９と、保護部材２０９の後側に配置され、所定の演出画像を表示可能な演出表示装置２１２とを具備させる。【選択図】図１１
2008148735.tif 000002
【特許請求の範囲】
【請求項１】
遊技者の操作によって遊技媒体が打ち込まれ、少なくとも所定配列で複数の障害釘が前面側から植設される遊技領域を有した透明樹脂からなる遊技パネルを備えた遊技盤と、
該遊技盤の前記遊技パネルの後面側に配置され、前記障害釘における植設側先端が前記遊技パネルの後面から突出するのを規制する透明樹脂からなる保護部材と、
該保護部材の後側に配置され、遊技者に対して所定の演出を提示可能な演出手段と
を具備することを特徴とする遊技機。
【発明の詳細な説明】
【技術分野】
【０００１】
本発明は、ぱちんこ遊技機（一般的に「パチンコ機」とも称する）や回胴式遊技機（一般的に「パチスロ機」とも称する）等の遊技機に関するものである。
【背景技術】
【０００２】
従来より、パチンコ機等の遊技機において、遊技球等の遊技媒体が打ち込まれる遊技領域の略中央に所定の演出画像を表示する演出表示装置を配置したものが知られている。この種の遊技機では、近年、演出表示装置が大型化する傾向があり、演出表示装置の大型化に伴って遊技媒体が流下する遊技領域が狭くなり、遊技媒体による面白味が低下する問題があった。そこで、遊技盤の一部又は全部を透明な部材で構成し、その透明な部材に障害釘や入賞口等を設けて遊技領域とすると共に、遊技盤の後側に配置された演出表示装置の演出画像が透明な部材を介して遊技者から見えるようにしたものが提案されている（例えば、特許文献１乃至特許文献３）。
【０００３】
この種の遊技機では、透明な遊技盤とするために、遊技盤に透明樹脂を用いており、透明樹脂からなる遊技盤に対して障害釘等を直接打設すると、透明樹脂が割れたりヒビが入ったりするので、障害釘等を配置する位置に、予め貫通した下孔を穿設しておき、その下孔に障害釘等を植設するようにしていた。
【０００４】
【特許文献１】特開平７−２５０９５４号公報
【特許文献２】特開２００５−２８１１９号公報
【特許文献３】特開２００６−２３０６４３号公報
【発明の開示】
【発明が解決しようとする課題】
【０００５】
ところで、従来より遊技機では、遊技盤に設けられた障害釘を叩いて、その向きや角度などを調整することで、遊技領域内での遊技媒体の動きを調節するようにしている。しかしながら、上記したような透明な遊技盤を有した遊技機では、障害釘が遊技盤に穿設された貫通した下孔に植設されているので、遊技媒体の動きを調節するために、障害釘を叩くと、障害釘の植設側先端が、遊技盤を貫通して遊技盤の後側へ突出し、遊技盤の後側に配置された演出表示装置等に当接して、演出表示装置等に傷が付いたり破損したりする他に、遊技領域内では障害釘が遊技盤側へ陥没してしまい、障害釘としての機能を果さなくなる等の不具合が発生する問題がある。
【０００６】
そこで、本発明は上記の実状に鑑み、透明な遊技盤に植設された障害釘の調整の際に不具合が発生するのを防止することができる遊技機の提供を課題とするものである。
【課題を解決するための手段】
【０００７】
手段１：遊技機において、
「遊技者の操作によって遊技媒体が打ち込まれ、少なくとも所定配列で複数の障害釘が前面側から植設される遊技領域を有した透明樹脂からなる遊技パネルを備えた遊技盤と、
該遊技盤の前記遊技パネルの後面側に配置され、前記障害釘における植設側先端が前記遊技パネルの後面から突出するのを規制する透明樹脂からなる保護部材と、
該保護部材の後側に配置され、遊技者に対して所定の演出を提示可能な演出手段と
を具備する」ものであることを特徴とする。
【０００８】
ここで、「透明樹脂」としては、「アクリル樹脂」、「ポリカーボネート樹脂」、「ＡＢＳ樹脂」、「ポリプロピレン」、「ポリアリレート樹脂」、「メタクリル樹脂」、等が挙げられる。また、上記の透明樹脂は、「熱可塑性樹脂」とすることが望ましいが、「熱硬化性樹脂」であっても良い。
【０００９】
また、「遊技パネル」としては、「遊技領域の一部に対応する大きさとされたもの」、「遊技領域の全体に対応する大きさとされたもの」、等が挙げられる。なお、遊技パネルには、複数の障害釘を植設する他に、入賞口や枠状の役物等を支持する前後方向に貫通する開口部を形成するようにしても良い。
【００１０】
更に、「保護部材」としては、板状の部材であっても良いし、シート状（膜状）の部材であっても良い。また、遊技パネルの後面側に密着した状態で配置しても良いし、遊技パネルとの間に隙間を有した状態で配置しても良く、遊技パネルに密着させることで、保護部材が遊技パネルと一体化し、遊技者から保護部材が見えて、後側に配置された演出表示手段等の演出手段が見辛くなるのを防止することができる。なお、保護部材に用いる材料は、遊技パネルに用いる材料よりも硬質な材料を用いることが望ましい。
【００１１】
また、「演出手段」としては、「所定の演出画像を表示可能な演出表示手段」、「遊技状況等に応じて可動する演出可動役物」、「遊技状況等に応じて装飾が変化する演出装飾体」、等が挙げられる。なお、「演出表示手段」としては、「液晶表示装置（ＬＣＤ）」、「ＥＬ表示装置」、「プラズマ表示装置」、「ＣＲＴ」、「レーザーディスプレイ」、等が挙げられる。なお、薄型の表示手段を用いることが望ましい。また、演出表示手段に対して見る方向によって異なる画像が見えるようなものとしても良い。
【００１２】
ところで、障害釘を植設するために遊技盤に穿設される下孔を、後面側に貫通しない止り孔とすることで、調整するために障害釘を叩いても、障害釘の植設側先端が遊技盤の後面側から突出するのを阻止するようにすることが考えられる。しかしながら、この場合、止り孔となっている分だけ相対的に、障害釘の埋込み量が少なくなり、遊技盤による障害釘の保持強度が低下してしまい、遊技盤の耐久性が低下する問題がある。
【００１３】
そのため、止り孔の分だけ遊技盤を厚くすることで、遊技盤による障害釘の保持強度を維持させて耐久性が低下するのを防止することが考えられるが、遊技盤が厚くなることで、比較的高価な透明樹脂の使用量が増加したり、遊技盤の重量の増加によって遊技機における遊技盤を支持する部分（例えば、本体枠、ヒンジ機構、など）の強度を強く（補強）したり、或いは、組立の際等に遊技盤の取り回しがし辛くなったりして、遊技機に係るコストが増加する問題がある。
【００１４】
また、障害釘等を植設する下孔を止り孔とすると、止り孔内に障害釘を挿入（植設）する際に、障害釘によって止り孔の開口部分が塞がれることで、止り孔内の空気が抜け難くなるので、挿入時の抵抗が大きくなって障害釘の植設に係る労力が大きくなり、障害釘の植設装置等にかかる負荷が増加する問題がある。
【００１５】
手段１の構成によると、遊技機に、遊技媒体が打ち込まれ所定配列で複数の障害釘が前面側から植設される遊技領域を有した透明樹脂からなる遊技パネルを備えた遊技盤と、遊技パネルの後面側に配置され障害釘の植設側先端が遊技パネルの後面から突出するのを規制する透明樹脂からなる保護部材と、保護部材の後側に配置され遊技者に対して所定の演出を提示可能な演出手段とを備えたものである。
【００１６】
これにより、障害釘が植設された遊技盤の遊技パネルと演出表示手段との間に透明な保護部材が配置されているので、調整の際に障害釘を叩いても、障害釘の植設側先端が、保護部材によって演出表示手段に当接するのを阻止することができ、障害釘の調整によって演出表示手段等の演出手段が傷ついたり破損したりするのを防止することができると共に、遊技領域内において障害釘が必要以上に遊技パネル側へ陥没するのを防止することができ、障害釘の調整の際に不具合が発生するのを防止することができる。
【００１７】
また、上述の通り、後側に配置された演出表示手段等の演出手段を保護部材によって障害釘の植設側先端から保護することができるので、演出手段として遊技盤の大きさと略同じ大きさの演出表示手段を問題なく備えることができ、遊技者に対して演出画像を大画面で見せることができ、迫力のある演出画像によって遊技者を楽しませて、より興趣の高められる遊技機とすることができる。
【００１８】
更に、障害釘の植設側先端から演出表示手段等の演出手段を保護する保護部材を備えているので、障害釘を植設する下孔を貫通孔としても何ら問題となることは無く、これにより、遊技パネルの厚さ全体を使って障害釘を保持することができ、障害釘の保持強度が低下するのを抑制して、遊技盤の耐久性が低下するのを防止することができる。
【００１９】
また、上述したように、障害釘用の下孔を貫通孔とすることができるので、遊技パネルの厚さが増加するのを防止することが可能となり、遊技パネルに係るコストが増加するのを抑制することができると共に、遊技パネルを有した遊技盤の重量が増加するのを抑制することができるので、遊技盤を支持する部分を補強したり遊技盤の取り回しがし辛くなったりするのを防止することができ、遊技機に係るコストが増加するのを抑制することができる。
【００２０】
なお、保護部材を遊技パネルの後面側に密着するように配置しても良く、これにより、保護部材の前面側で光が反射して後側に配置された演出表示手段等の演出手段による演出が見辛くなるのを防止することができる。また、遊技パネルつまり保護部材の後面側も遊技媒体が移動可能な遊技領域或いは遊技媒体排出経路等とした場合、調整のために障害釘を叩いても、障害釘の植設側先端が突出することが無く、遊技媒体を問題なく移動させることができ、遊技パネルの後面側でも遊技媒体の動きによって遊技者を楽しませたり、遊技媒体が滞るのを防止したりすることができ、遊技者の興趣が低下するのを防止することができる。
【００２１】
手段２：手段１の構成において、
「前記保護部材は、
前記遊技パネルの後面に密着している」ものであることを特徴とする。
【００２２】
ところで、透明な遊技パネルと、透明な保護部材との間に隙間が形成されていると、保護部材の表面（前面）で光が反射することがあり、その光の反射によって保護部材の後側に配置された演出表示手段等の演出手段が見辛くなって、遊技者の興趣を低下させてしまう恐れがある。
【００２３】
手段２の構成によると、保護部材を、遊技パネルの後面に密着させるようにしたものである。なお、「密着」としては、「遊技パネルと保護部材を形成する樹脂の重合によって密着させたもの」、「遊技パネルと保護部材とを溶着によって密着させたもの」、「遊技パネルと保護部材とを透明な接着剤によって密着させたもの」、「遊技パネルと保護部材とを面接触により密着（圧着）させたもの」、等が挙げられる。
【００２４】
これにより、遊技パネルと保護部材とが密着しているので、保護部材の前面で光が反射するのを防止することが可能となり、保護部材での光の反射によって後側に配置された演出表示手段等の演出手段の演出が見辛くなるのを防止することができ、遊技者の興趣が低下するのを抑制することができる。
【００２５】
また、密着により保護部材が遊技パネルと一体化するので、遊技機の組立てに係る工程を少なくすることができ、組立てに係るコストを低減させることができる。
【００２６】
なお、遊技パネルと保護部材とが密着しているので、遊技パネルつまり保護部材の後面側も遊技媒体が移動可能な遊技領域或いは遊技媒体排出経路等とした場合、調整のために障害釘を叩いても、障害釘の植設側先端が突出することが無く、遊技媒体を問題なく移動させることができ、遊技パネルの後面側でも遊技媒体の動きによって遊技者を楽しませたり、遊技媒体が滞るのを防止したりすることができ、遊技者の興趣が低下するのを防止することができる。
【００２７】
手段３：手段１又は手段２の構成において、
「前記保護部材は、
前記遊技パネルよりも硬質な樹脂材としている」ものであることを特徴とする。
【００２８】
手段３の構成によると、保護部材を、遊技パネルよりも硬質な樹脂材で形成するようにしたものである。
【００２９】
これにより、保護部材の厚さを薄くしても、障害釘から演出表示手段等の演出手段を保護することができるので、保護部材の重さを可及的に軽くすることができ、遊技盤等の重量が増加するのを抑制して、上述した作用効果と同様の作用効果を奏することができる。
【００３０】
手段４：手段１から手段３までの何れか一つの構成において、
「前記遊技盤は、
前記遊技パネルの外周を略覆うと共に該遊技パネルが着脱可能に嵌合する嵌合段部、該嵌合段部の内側に配置され前後方向に貫通する貫通口、及び該貫通口の外周側且つ少なくとも後面側に所定配列で配置され所定のビスを螺合可能な複数の取付孔を備えた熱可塑性樹脂からなる枠状のパネルホルダと、
該パネルホルダ及び前記遊技パネルの前面側に配置され、前記遊技領域を区画形成すると共に該遊技領域内に遊技媒体を案内する案内レールを備えた前構成部材と
を更に備えている」ものであることを特徴とする。
【００３１】
ここで、「遊技パネルを着脱可能」とするものとしては、「遊技パネルの少なくとも略対向する二辺に係合部を備えると共に、パネルホルダに遊技パネルの係合部と係合する被係合部を備え、係合部と被係合部とを係合させることで着脱可能とするもの」、「遊技パネルの適宜箇所に挿通孔を穿設し、その挿通孔を介してビス等をパネルホルダにねじ込むことで着脱可能とするもの」、等が挙げられる。
【００３２】
また、「嵌合段部」としては、「パネルホルダの前面側が窪んだ形態とされ、パネルホルダの前側から遊技パネルを嵌合させるようにしたもの」、「パネルホルダの後面側が窪んだ形態とされ、パネルホルダの後側から遊技パネルを嵌合させるようにしたもの」、「パネルホルダの周面の一つが窪んだ形態とされ、パネルホルダの周面から遊技パネルをスライド嵌合させるようにしたもの」、等が挙げられる。
【００３３】
ところで、透明樹脂からなる遊技パネル等の遊技盤を構成する部材の素材として、溶融させることで再成形可能な熱可塑性樹脂を用いることが考えられ、これにより、不要となった遊技盤を処分する際に、熱可塑性樹脂の部分を一旦溶融させた上で遊技盤や他の製品（部品）に成形することができ、資源を有効に再利用したり、廃棄処分する量を可及的に少なくして廃棄処理に係るコストを低減させたりすることができる。
【００３４】
しかしながら、遊技盤を熱可塑性樹脂等の樹脂により形成するようにした場合、遊技盤全体を成形するための成形型が大型のものとなり、遊技盤の成形に係るコストが増大する問題がある。また、遊技機における遊技盤は、その機種ごとに障害釘や入賞口等の配置が異なっているので、機種を変更するごとに遊技盤全体を新たに形成しなければならず、機種ごとに遊技盤を成形するための大型の成形型が必要となり、機種変更に係るコストが増加する問題がある。
【００３５】
一方、従来の遊技機における遊技盤を、障害釘等が植設される遊技パネルと、遊技パネルを支持する枠状のパネルホルダとにわけて構成するようにし、パネルホルダを遊技機の機種に依存しない共通パーツとすることで、遊技機にかかるコストを低減させることが考えられる。しかしながら、この場合、障害釘等が植設される遊技パネルの大きさが遊技盤の大きさよりも小さくなるので、従来より用いられている障害釘植設装置に遊技パネルをそのままセットすることができず、障害釘植設装置を改良したり新造したりする必要があり、遊技機の製造にかかるコストが増加する問題がある。
【００３６】
また、従来より、遊技盤には、障害釘や入賞口等が固定される他に、演出用や装飾用などの各種役物や、入賞口等に受入れられた遊技媒体を誘導する誘導路、遊技状況に応じて所定の演出画像を表示する演出表示手段、及び役物や演出表示手段等を制御するための制御基板等が所定のビス等により固定されている。そして、この遊技盤を樹脂により構成するようにした場合、従来の木製合板を用いたもののように任意の位置に固定用のビスをねじ込むことができず、ビスをねじ込む位置に予め下孔（例えば、取付孔）を穿設する必要がある。しかしながら、この場合、遊技機の機種によって、障害釘や各種役物等が固定される位置が異なるので、予め穿設する取付孔の位置も異なるものとなり、他の機種に使用することができない問題がある。
【００３７】
更に、遊技パネルとパネルホルダとの関係において、パネルホルダに遊技パネルの外形と略同一内形の貫通口を形成し、その貫通口に遊技パネルを嵌合させると共に接着することで、パネルホルダに遊技パネルを固定させる方法が考えられ、これにより、従来の障害釘植設装置にセットすることができるようになる。しかしながら、この場合、遊技パネルとパネルホルダとを組立てる際に、遊技パネルの外周或いは貫通口の内周に接着剤を塗布する工程が必要となり、工程が増加する問題がある。また、遊技パネルとパネルホルダとを接着固定すると、遊技機を廃棄処分等する際に、遊技パネルとパネルホルダとを分解するのに手間が係るようになり、廃棄処分等に係るコストが増加する問題がある。
【００３８】
手段４の構成によると、遊技盤に、遊技パネルの外周を略覆うと共に遊技パネルが着脱可能に嵌合する嵌合段部、嵌合段部の内側に配置され前後方向に貫通する貫通口、及び貫通口の外周側且つ少なくとも後面側に所定配列で配置され所定のビスを螺合可能な複数の取付孔を備えた熱可塑性樹脂からなる枠状のパネルホルダと、パネルホルダ及び遊技パネルの前面側に配置され、遊技領域を区画形成すると共に遊技領域内に遊技媒体を案内する案内レールを備えた前構成部材とを更に備えたものである。
【００３９】
これにより、遊技領域を有した遊技盤を、遊技パネル、パネルホルダ、及び前構成部材に分割するようにしているので、遊技機の機種によって障害釘や入賞口等の位置が変化する遊技パネルを交換パーツとすると共に、パネルホルダ及び前構成部材を共通パーツとすることができ、遊技パネルのみを交換するだけで種々の機種に対応可能な遊技盤を備えた遊技機とすることができる。
【００４０】
また、パネルホルダの後面側に、予め複数の取付孔が所定配列で備えられているので、ビスをねじ込む取付孔を適宜選択することにより、各種役物や演出表示手段等を所望の位置に取付固定することができる。つまり、各種役物や演出表示手段等を取付孔の配置に合せて略任意の位置に固定することができるので、同一のパネルホルダを用いても種々の機種に対応させることができ、機種を変更してもパネルホルダを流用することで遊技盤に係るコストを抑制することができる。
【００４１】
更に、機種に応じてパネルホルダに取付固定される入賞口や各種役物等の種々の所定の部材の取付固定位置が異なる位置となっていても、パネルホルダに予め複数の取付孔が所定配列で備えられているので、各種部材の固定部を取付孔の位置と対応させるように設計することで、パネルホルダを機種に依存しない遊技機の共通パーツとすることができ、機種を変更してもパネルホルダの成形型を流用することができるので、遊技機に係るコストを低減させることができる。
【００４２】
また、遊技パネルをパネルホルダの嵌合段部に着脱可能に嵌合させるようにしており、接着固定していないので、遊技パネルとパネルホルダとを組立てるための組立工数が増加するのを抑制することができると共に、遊技パネルとパネルホルダとを容易に着脱することができるので、組立や、廃棄処分時等の分解に係る手間を簡略化することができる。
【００４３】
また、少なくともパネルホルダを熱可塑性樹脂からなるものとしているので、パネルホルダをリサイクルすることができ、廃棄処分にかかるコストを低減させることができると共に、省資源なものとすることができる。なお、遊技パネル、及び前構成部材についても、主要部分を熱可塑性樹脂からなるものとすることが望ましく、遊技盤のリサイクル率をより高められると共に、廃棄処分に係るコストを一層低減させることができ、環境に優しい遊技機とすることができる。また、パネルホルダや前構成部材を共通パーツとすることができるので、遊技機の製造の際に、回収したパネルホルダや前構成部材等をそのまま再利用するようにしても良く、更に、コストを低減させることができると共に、廃棄処分される廃棄物の量を低減させることができる。
【００４４】
更に、遊技パネルがパネルホルダの嵌合段部に嵌合されるので、パネルホルダの厚み内に遊技パネルの厚みを収めることが可能となり、遊技盤を遊技パネル、パネルホルダや、前構成部材等に分割される構成としても、その厚さが増加するのを抑制することができる。従って、遊技盤を既存のものと略同等の大きさのものとすることができるので、遊技機における遊技盤以外の部分を既存のものと共通化することができると共に、既存の製造ラインに載せることができ、製造に係るコストが増加するのを抑制することができる。
【００４５】
なお、保護部材を遊技パネルとパネルホルダとの間に配置するようにしても良く、これにより、遊技パネルをパネルホルダの嵌合段部に嵌合させると、保護部材が遊技パネルと嵌合段部とに挟持され、所定位置に保護部材を簡単に支持させることができると共に、保護部材が遊技パネルの後面と略密着し、保護部材の前面での反射を抑制して、後側に配置された演出表示手段等が見辛くなるのを防止することができる。
【００４６】
また、板状の遊技パネルを切り出し板材とすることが望ましく、これにより、成形用の金型を必要とせずに遊技パネルを製造することができるので、遊技パネルに係る製造コストを低減させることができる。また、上述の通り、遊技パネルとパネルホルダとを分割するようにすると共にパネルホルダを共通パーツとすることができるので、一体成形する場合と比較して、機種を変更する度に遊技盤全体の大きさに相当する大型の成形型を新たに製作する必要が無く、機種変更に係るコストが増加するのを抑制することができる。
【００４７】
更に、パネルホルダの厚さを、従来の遊技盤における木製合板の部分の厚さと対応した厚さ（１８〜２１ｍｍ、望ましくは、約１９ｍｍ）とすると共に、遊技パネルの厚さをパネルホルダの厚さの約半分の厚さである８〜１０ｍｍの厚さとすることが望ましい。詳述すると、遊技パネルには多数の障害釘を植設する関係上、その厚さが８ｍｍよりも薄いと障害釘を良好に保持することができなく恐れがあり、また、厚さが１０ｍｍよりも厚くても障害釘の保持が向上しないと共に遊技パネルの重量が必要以上に重くなる問題があるからである。これにより、樹脂からなるパネルホルダや遊技パネルの厚さを最適なものとすることができる。
【００４８】
また、パネルホルダの嵌合段部を前側が窪んだ形態とし、パネルホルダの前側から遊技パネルを嵌合させるようにすると共に、パネルホルダと前構成部材とで遊技パネルを挟持できるようにしても良い。これにより、遊技パネルを、パネルホルダとの嵌合だけでなく、パネルホルダと前構成部材との挟持によっても保持することができるので、何らかの理由によりパネルホルダとの嵌合が緩んでも、遊技パネルが脱落するのを防止することができ、遊技パネルをより確実に保持することができる。
【００４９】
更に、遊技パネルの他に、パネルホルダ、前構成部材、及びパネル裏板等を透明な部材によって構成しても良く、これにより、パネルホルダや前構成部材等を介しても、遊技盤の後方側を視認可能とすることができ、後方に配置された演出表示手段等の各種部材を視認させることで、これまでに無い雰囲気の遊技機とすることが可能となり、更に、遊技者の関心を引き付けられる訴求力の高い遊技機とすることができる。
【００５０】
手段５：手段４の構成において、
「前記保護部材は、
前記遊技パネルと前記パネルホルダとの間に配置されている」ものであることを特徴とする。
【００５１】
ところで、遊技パネルの後面側に配置される保護部材を、パネルホルダの後側に支持するようにした場合、別途の支持部材を用いてパネルホルダに保護部材を支持させるようにしたり、パネルホルダに支持されるように保護部材に加工を加えたりする必要があり、遊技機に係るコストが増加する問題があると共に、遊技パネルと保護部材との間に隙間が形成されるので、保護部材の前面側で光が反射し易くなり、光の反射によって後側に配置された演出表示手段等の演出手段が見辛くなって、遊技者の興趣を低下させてしまう恐れがある。
【００５２】
手段５の構成によると、保護部材を、遊技パネルとパネルホルダとの間に配置したものである。つまり、遊技パネルとパネルホルダの嵌合段部との間に保護部材を配置したものである。
【００５３】
これにより、保護部材が遊技パネルとパネルホルダの嵌合段部との間で挟持されることとなり、別途の支持部材を用いなくても保護部材を所定位置に支持することができ、遊技機に係るコストが増加するのを抑制することができる。また、保護部材を遊技パネルの後面側に略密着させることができるので、保護部材の前面側で光が反射するのを抑制することができ、後側に配置された演出表示手段等の演出手段の演出が見辛くなるのを防止して、遊技者の興趣が低下するのを防止することができる。
【００５４】
手段６：手段４又は手段５の構成において、
「前記パネルホルダの前記取付孔は、
略全周に亘って配置される複数の第一取付孔と、
該第一取付孔に螺合されるビスよりも大径のビスが螺合可能とされ、上下方向の中央よりも上側に配置される複数の第二取付孔と
からなる」ものであることを特徴とする。
【００５５】
ところで、パネルホルダの所定の部材を取付固定するための取付孔の大きさを全て同じもの、すなわち、同じ大きさのビスで所定の部材を固定するようにすると共に、種々の重量の所定の部材に対応し得るように、最も重い部材に対応した大きさのビスを用いるようにして、使用するビスの種類を少なくすると共に様々な重量の部材に対応させるようにすることが考えられる。しかしながら、この場合、一般的な重量の部材でも、大きなビスで固定することとなり、部材の固定が過剰品質となると共に、大きなビスでは取付孔に螺合させる際のねじ込み力が相対的に大きく、ビスによる固定作業の際に多くの働力が必要となり固定作業に時間がかかったり、電力などの消費量が多くなったりしてコストが増加する問題がある。
【００５６】
手段６の構成によると、パネルホルダに備えられる取付孔を、略全周に亘って配置される複数の第一取付孔と、中央より上側に配置され第一取付孔よりも大径の複数の第二取付孔としたものである。
【００５７】
これにより、一般的な重量の部材をパネルホルダに取付固定する場合は、全周に配置された第一取付孔を用いて取付固定し、重量の重い部材をパネルホルダに取付固定する場合には、上側に配置された大径のビスが螺合される第二取付孔を用いて取付固定するようにすることができるので、重量の重い部材を大径のビスにより固定して、その部材を確実に取付固定することができる。
【００５８】
また、重量の重い部材のみを大径のビスで固定するようにすることができるので、他の部材については、ねじ込み作業の楽な小径のビスで固定すれば良く、パネルホルダへの所定の部材の固定作業を楽に実施することができると共に、固定作業に係る時間や消費電力等を抑制して、コストが増加するのを防止することができる。
【００５９】
ところで、板状のパネルホルダに所定の部材を固定する場合、固定される部材の重心がパネルホルダの固定面よりも外側に飛出した位置となるので、その重心に係る重量によりパネルホルダとの固定部には回転モーメントが作用することとなる。具体的には、重心よりも上側に配置された固定部にはパネルホルダから遠ざかろうとする力が、また、重心よりも下側に配置された固定部にはパネルホルダに近づこうとする力が作用することとなる。そのため、上側の固定部では、螺合された固定用のビスを引抜こうとする力が作用し、ビスに引っ張り荷重がかかり、かかる荷重によっては小径のビスでは対応しきれない恐れがある。
【００６０】
しかしながら、本手段によると、大径のビスを螺合可能な第二取付孔を中心よりも上側に複数配置しているので、重量の重い部材を固定する際に、上側の固定部を大径のビスが螺合する第二取付孔に固定することができ、大きなビスを用いることで大きな引っ張り荷重がかかっても対応させることができ、確実に所定の部材をパネルホルダに固定することができる。
【００６１】
手段７：手段４から手段６までの何れか一つの構成において、
「前記パネルホルダは、
前記取付孔と対応するように複数の位置決め孔を更に備えている」ものであることを特徴とする。
【００６２】
ここで、「位置決め孔」とは、パネルホルダに取付固定される所定の部材に備えられた位置決め突起（別部材のピンでも良い）を挿入可能な孔であれば良く、「丸孔」、「角孔」、等の他に「多角形状の孔」としても良い。また、止り孔であっても良いし、貫通孔であっても良い。
【００６３】
手段７の構成によると、パネルホルダに、取付孔と対応する位置に位置決め孔を備えるようにしたものである。これにより、パネルホルダに演出表示手段等の所定の部材を取付固定する際に、所定の部材に備えられた位置決め突起を位置決め孔に挿入させることで、パネルホルダと所定の部材との位置関係を正しい位置にすることができ、組付け性を向上させることができる。
【００６４】
また、夫々の取付孔に対して対応する位置決め孔が備えられている、つまり、複数の位置決め孔が備えられているので、複数の位置決め孔によりパネルホルダが肉抜きされることとなり、パネルホルダの重量を軽減させることができる。なお、位置決め孔をパネルホルダの肉抜き部と兼用させるようにしても良い。
【００６５】
手段８：手段４から手段７までの何れか一つの構成において、
「前記パネルホルダは、
少なくとも後面側に開口する複数の肉抜き部を更に備えている」ものであることを特徴とする。
【００６６】
手段８の構成によると、パネルホルダに、少なくとも後面側に開口する複数の肉抜き部を更に備えるようにしたものである。これにより、パネルホルダを軽量化することができ、従来の木製合板からなるものと比較して、遊技盤の重量が増加するのを抑制することができる。また、パネルホルダに樹脂（熱可塑性樹脂）を用いているので、射出成形等により複数の肉抜き部を容易に形成することができる。
【００６７】
なお、パネルホルダの肉抜き部を、パネルホルダの下端から所定範囲内までは後面側に開口するように形成することが望ましく、これにより、その部位の前面側を平坦な面とすることができ、その前面側に前構成部材の案内レールを配置することで、案内レールにより遊技媒体を円滑に案内させることができる。
【００６８】
また、パネルホルダの後面側だけでなく、前面側に肉抜き部が開口するようにしても良いし、パネルホルダの前後方向に貫通するように肉抜き部を備えても良い。また、遊技媒体と接するような部位（例えば、案内レールが形成された部位、遊技媒体排出流路が形成された部位など）においては、接する側とは反対側に開口するように肉抜き部を備えることが望ましく、これにより、肉抜き部内に遊技媒体が侵入したり、肉抜き部の開口に遊技媒体が接触したりして、遊技媒体の流通に不具合が生じるのを防止することができる。更に、肉抜き部を上記の位置決め孔と兼用させるようにしても良い。
【００６９】
手段９：手段４から手段８までの何れか一つの構成において、
「前記パネルホルダは、
前記取付孔の少なくとも一部が配置されると共に、前記貫通口の外周側且つ後面側に配置され前側に窪んだ形態の取付支持部を更に備えている」ものであることを特徴とする。
【００７０】
ここで、「取付支持部」とは、パネルホルダの後面側に取付けられる所定の部材（例えば、各種入賞口や受入口、演出用役物、装飾用役物、装飾部材、裏箱、演出表示手段等）に備えられたフランジ状の固定部を取付固定するための部位であり、具体的には、「取付固定される所定の部材の固定部の厚さよりも深く窪んだ形態のもの」、「パネルホルダの外周よりも所定量内側に配置された形態のもの」、等が挙げられる。なお、取付支持部の窪み量としては、１〜３ｍｍの間が望ましく、１ｍｍよりも少ないと取付固定される固定部の厚さが薄くなり固定部の強度が低下して破損する恐れがあるからであり、３ｍｍよりも大きいと取付支持部におけるパネルホルダの厚さが薄くなりパネルホルダの強度が低下する恐れがあるからである。
【００７１】
ところで、従来より、遊技盤の後面側に取付固定される演出表示手段等の所定の部材には、遊技盤の後面に略沿うように遊技盤の外側に延びるフランジ状の固定部を備えており、その固定部を介して遊技盤の後面側に所定の部材が取付固定されるようになっている。ところが、遊技盤に所定の部材を取付固定すると、その固定部が遊技盤の後面よりも後側に突出した状態となるので、遊技盤を遊技機の遊技盤装着枠に装着固定する際に、遊技盤装着枠の装着部に固定部が当接し遊技盤が遊技盤装着枠に装着できなくなる恐れがある。そのため、固定部が遊技盤装着枠の装着部に当接しないように、固定部と当接する遊技盤装着枠の装着部に逃し部などを形成するようにすることが考えられる。
【００７２】
しかしながら、この場合、遊技機の機種によって遊技盤に固定される固定部の位置が異なるので、機種によって遊技盤装着枠も変更しなければならず、遊技機にかかるコストが増加する問題がある。そこで、固定部が遊技盤装着枠の装着部に当接しないように、所定の固定部材の固定部が、外周から遊技盤の後面に沿った中心側に配置されるようにすることで、固定部と装着部とが当接するのを回避するようにしていた。ところが、この場合、所定の部材の固定部が遊技盤の中心側に配置されるので、蓋然的に所定の部材が中心側に寄ってしまい、遊技盤の外周付近に所定の部材を配置することができず、例えば、所定の部材を箱状枠型の裏箱とした場合、裏箱の外周が遊技盤の外周よりも少なくとも装着部の分は小さくなって裏箱の容積が狭くなり、遊技盤の全体を有効に用いることができなかった。
【００７３】
手段９の構成によると、パネルホルダの後面側に、前側に窪んだ形態とされ、取付孔の少なくとも一部が配置される取付支持部を備えたものである。これにより、この取付支持部に演出表示手段等の所定の部材の固定部を取付固定することで、固定部がパネルホルダの後面から後側に突出するのを防止することができ、パネルホルダすなわち遊技盤を、遊技機における遊技盤装着枠に確実に装着固定することができる。つまり、遊技機における遊技盤装着枠を加工（変更）しなくても遊技盤を装着することができるので、遊技盤装着枠を機種に依存しない共通パーツとすることができ、遊技機にかかるコストが増加するのを防止することができる。
【００７４】
また、取付支持部をパネルホルダの外周付近に配置した場合、取付固定される所定の部材の固定部を可及的にパネルホルダの外周縁に近づけることができるので、よりパネルホルダの外周近くまで所定の部材を固定配置することが可能となり、より大きな所定の部材を取付固定したり、遊技盤の略全体に亘って所定の部材を配置したりすることができると共に、所定の部材によって広がりのある演出や装飾を行うことができ、遊技者の興趣を高められるものとすることができる。
【００７５】
なお、裏箱を所定の部材とした場合、その固定部を可及的にパネルホルダの外周縁に近づけて、その容積を可及的に大きくすることができるので、裏箱内により多くの或いは大きな役物等を配置したり、より大型の演出表示手段を支持したりすることができ、遊技者の興趣をより高められるものとすることができる。また、取付支持部の一部を、パネル裏板を収容可能な収容凹部としても良い。
【００７６】
手段１０：手段９の構成において、
「前記取付支持部は、
少なくとも前記パネルホルダの後面側外周部が後側に突出したような状態で前側に窪んだ形態とされている」ものであることを特徴とする。
【００７７】
手段１０の構成によると、パネルホルダにおける後面側の外周部が後側に突出したような状態となるように取付支持部が備えられているものである。これにより、遊技盤（パネルホルダ）を装着する枠状の遊技盤装着枠に対して当接するパネルホルダの外周部をパネルホルダの最も後側に位置する端部とすることができるので、取付支持部に所定の部材の固定部を取付固定しても、パネルホルダすなわち遊技盤を遊技機の遊技盤装着枠に確実に装着させることができる。
【００７８】
手段１１：手段４から手段１０までの何れか一つの構成において、
「前記パネルホルダは、
前記嵌合段部の深さが、嵌合された前記遊技パネルの前面と、前記パネルホルダの前面とが略同一面となるような深さとされている」ものであることを特徴とする。
【００７９】
ところで、パネルホルダに遊技パネルを支持させた状態で、従来の障害釘植設装置を用いて遊技パネルに障害釘を植設する場合、遊技パネルの前面と、パネルホルダの前面とが略一致していない状態であると、障害釘植設装置が遊技パネル又はパネルホルダの突出した方と接触する恐れがあり、従来の障害釘植設装置を用いることができず、装置を改造したり新設したりしなければならず、障害釘の植設に係るコストが増加する問題がある。
【００８０】
手段１１の構成によると、パネルホルダにおける嵌合段部の深さを、嵌合された遊技パネルの前面とパネルホルダの前面とが略同一面となるような深さとしたものである。
【００８１】
これにより、遊技パネルをパネルホルダの嵌合断部に嵌合させるだけで、それらの前面側が略面一となるので、従来より用いられている障害釘植設装置を改造等しなくても遊技パネルをパネルホルダに保持した状態で従前の障害釘植設装置にセットすることが可能となり、障害釘の植設に係るコストが増加するのを抑制することができる。
【００８２】
手段１２：手段４から手段１１までの何れか一つの構成において、
「前記遊技パネルは、少なくとも略対向する二辺に配置された係合部を更に備え、且つ、
前記パネルホルダは、前記遊技パネルの前記係合部と着脱自在に係合する被係合部を更に備えている」ものであることを特徴とする。
【００８３】
ここで、「係合部」及び「被係合部」としては、「係合部を前面側が窪んだ段状の係合段部とすると共に、被係合部を係合段部と係合するように前面に略沿って突出する係合突部としたもの」、「係合部を前面側が窪んだ段状の係合段部とすると共に、被係合部を係合段部と係合する爪状の係合爪部としたもの」、「係合部を前面側が窪んだ段状の係合段部とすると共に、被係合部の一方を係合段部と係合するように前面に略沿って突出する係合突部とし、他方を係合段部と係合する爪状の係合爪部としたもの」、等が挙げられる。
【００８４】
手段１２の構成によると、遊技パネルに、少なくとも略対向する二辺に係合部を備えると共に、パネルホルダに、遊技パネルの係合部と着脱自在に係合する被係合部を備えるようにしたものである。
【００８５】
これにより、遊技パネルをパネルホルダの嵌合段部に嵌合させた上で、係合部と被係合部とを互いに係合させることで着脱自在に係合保持するようにしており、接着固定していないので、遊技パネルとパネルホルダとを組立てるための組立工数が増加するのを抑制することができると共に、遊技パネルとパネルホルダとを容易に着脱することができるので、組立や、廃棄処分時等の分解に係る手間を簡略化することができる。
【００８６】
また、係合部と被係合部とを係合させることで、遊技パネルをパネルホルダに支持させるようにしており、例えば、遊技パネルをパネルホルダと前構成部材とで挟持するようにした場合と比較して、遊技領域を区画形成する前構成部材が無くても、遊技パネルとパネルホルダとを一体化することができるので、前構成部材を組付ける際の遊技パネルとパネルホルダの取り回しを容易なものとすることができると共に、遊技パネルとパネルホルダとを組付けた状態で遊技領域に障害釘や役物等を植設することができ、組立作業性等を向上させることができる。
【００８７】
手段１３：手段１２の構成において、
「前記遊技パネルの前記係合部は、前面側が窪んだ段状の係合段部とされ、且つ、
前記パネルホルダの前記被係合部は、略対向配置された一方の側が前記嵌合段部の前面との間に所定の隙間を形成した状態で前面に略沿った中心側に向かって延び前記係合段部と係合する係合突部と、該係合突部と略対向配置された他方の側が前記嵌合段部から前方に向かって大きくても前面まで突出し前記係合段部と係合する係合爪部とされている」ものであることを特徴とする。
【００８８】
手段１３の構成によると、遊技パネルの係合部を、前面側が窪んだ段状の係合段部とすると共に、パネルホルダの被係合部の一方を、嵌合段部との間に係合段部が挿入できる隙間を形成し前面に沿って中心側に延びだす係合突部とし、他方を嵌合段部から前方に向かって突出する爪状の係合爪部としたものである。
【００８９】
これにより、遊技パネルにおける一辺側の係合段部をパネルホルダの係合突部と係合させた後に、他方の辺側の係合段部をパネルホルダの係合爪部と弾性係合させることでパネルホルダに遊技パネルを係合保持させることができ、パネルホルダと遊技パネルとの着脱を容易に行わせることができる。
【００９０】
また、大きくても前面まで突出する係合爪部としている、つまり、係合爪部がパネルホルダの前面から突出しないようにしているので、パネルホルダに遊技パネルを保持させた状態で、遊技盤（遊技パネルやパネルホルダ）の前面に沿って障害釘植設装置等の加工装置を作動（移動）させても、加工装置が係合爪部に当接することが無く、加工装置を用いて遊技盤に対して障害釘の植設等の所定の加工を良好に行わせることができる。
【００９１】
手段１４：手段１２又は手段１３の構成において、
「前記パネルホルダは、
既存の障害釘植設装置の位置決め手段に対応した位置決め部を更に備えている」ものであることを特徴とする。
【００９２】
ここで、「位置決め部」としては、「所定の大きさの孔からなるもの」、「互いに離れた位置に配置された二つ以上の切欠き部からなるもの」、「パネルホルダの所定の辺を用いたもの」、等が挙げられる。
【００９３】
手段１４の構成によると、パネルホルダに、既存の障害釘植設装置の位置決め手段と対応した位置決め部を備えたものである。これにより、遊技パネルを支持するパネルホルダを既存の障害釘植設装置にセットすることが可能となるので、既存の障害釘植設装置により遊技パネルに障害釘を植設することができ、障害釘植設装置を改造したり新造したりする必要が無く、遊技機の製造にかかるコストが増加するのを抑制することができる。
【００９４】
なお、既存の障害釘植設装置に限らず、その他の既存の装置の位置決め手段と対応する位置決め部を備えるようにしても良く、これにより、既存の生産ラインに載せることができ、遊技機の製造にかかる設備費を低減させることができる。
【００９５】
手段１５：手段４から手段１４までの何れか一つの構成において、
「前記遊技盤は、
前記パネルホルダの後面側に配置されると共に該パネルホルダの幅と対応した幅で前側及び上側が開放された箱状とされ、遊技媒体が通過可能な大きさの遊技媒体排出口を有した底板、及び前記パネルホルダの後面との間に所定量の隙間が形成される逃し部を少なくとも備え、前記遊技領域内に打ち込まれた遊技媒体を収集して前記遊技媒体排出口から下方へ排出する樹脂からなる遊技媒体収集排出部材を更に有する」ものであることを特徴とする。
【００９６】
ところで、従来の遊技機では、遊技領域内に備えられた各種入賞口や、アウト口に受入れられた遊技媒体が、遊技盤の裏側に導かれた後に、遊技盤の下方へ排出されるようになっており、この遊技盤の裏側には、遊技領域の所定位置に配置された各種入賞口等から遊技媒体を下方へ排出誘導する誘導路が夫々取付固定されている。しかしながら、従来の遊技機では、遊技領域内に配置される入賞口等の位置が機種によって異なっているので、遊技媒体を排出誘導する誘導路も異なるものとなり、機種変更の際に誘導路も新調しなければならず、コストのかかるものとなっていた。
【００９７】
手段１５の構成によると、パネルホルダの後面側に配置されると共にパネルホルダと対応した幅で前側及び上側が開放された箱状とされ、遊技媒体を排出する遊技媒体排出口を有した底板、及びパネルホルダとの間に所定量の隙間を形成する逃し部を備え、遊技領域内に打ち込まれた遊技媒体を収集して排出する樹脂からなる遊技媒体収集排出部材を更に備えたものである。
【００９８】
これにより、遊技領域内の何れの位置に各種入賞口やアウト口等が配置されていても、それら入賞口等に受入れられることで遊技パネルの後方側に誘導されて排出される遊技媒体を箱状の遊技媒体収集排出部材により収集して、所定位置に配置された遊技媒体排出口から排出させることができる。つまり、入賞口等を遊技領域の何れの位置に配置しても遊技媒体を確実に排出することができるので、遊技機の機種を変更して入賞口等の位置が変化しても、遊技媒体収集排出部材を変更することなく遊技媒体を確実に排出させることができ、遊技媒体収集排出部材を共通パーツとすることが可能となり、遊技機にかかるコストが増加するのを抑制することができる。
【００９９】
また、遊技媒体収集排出部材には、パネルホルダの後面との間に所定量の隙間を形成する逃し部を備えているので、この逃し部内に、パネルホルダの後面側の取付孔に取付けられる所定の部材（例えば、各種入賞口や受入口、演出用役物、装飾用役物、装飾部材、裏箱、演出表示手段等）に備えられたフランジ状の固定部が収納配置されるようにすることで、固定部がパネルホルダへの遊技媒体収集排出部材の取付けの妨げとなるのを回避することができ、遊技媒体収集排出部材及び所定の部材を夫々パネルホルダの後面側に確実に取付固定することができる。
【０１００】
更に、遊技媒体収集排出部材に逃し部が備えられており、遊技媒体収集排出部材が配置された位置と略同じ位置に所定の部材を配置してパネルホルダに取付固定することができるので、パネルホルダに対して所定の部材を任意の位置に自由に配置することができ、遊技機の設計自由度を高めて遊技者の興趣が高められるものとすることができる。
【０１０１】
なお、遊技媒体収集排出部材における逃し部の深さとしては、０．５〜３ｍｍの範囲内とすることが望ましく、０．５ｍｍよりも少ないと取付固定される固定部の厚さが薄くなり固定部の強度が低下して破損する恐れがあるからであり、３ｍｍよりも大きいと逃し部における遊技媒体収集排出部材の厚さが薄くなって強度が低下する恐れがあるからである。
【０１０２】
また、遊技媒体収集排出部材における底板の上面を、遊技媒体排出口に向かって低くなるように傾斜させるようすることが望ましく、これにより、箱状に形成された遊技媒体収集排出部材に受入れられた遊技媒体は、底板に到達することでその傾斜面に沿って遊技媒体排出口へと誘導されて、確実に遊技媒体排出口から排出させることができ、遊技媒体収集排出部材内で遊技媒体が滞ったり、停滞したりするのを防止することができる。
【０１０３】
更に、遊技媒体収集排出部材の後側に、所定の制御基板を支持可能な基板支持部を備えるようにすることが望ましく、これにより、遊技媒体収集排出手段を介してパネルホルダに制御基板を支持することができ、制御基板をパネルホルダに支持するための部材を別途用意する必要がないと共に、遊技媒体収集排出部材により所定の制御基板を支持する、つまり、従来の基板ホルダに遊技領域から排出される遊技媒体を収集して所定位置から排出する機能を持たせたものであり、一つの部材を多機能化することで部品点数を少なくすることができ、遊技機にかかるコストが増加するのを防止することができる。なお、「所定の制御基板」としては、「遊技内容を制御する主制御基板」、「主制御基板の制御を補助する副制御基板」、「装飾用制御基板」、「演出表示制御基板」、「払出制御基板」、等が挙げられる。また、制御基板を直接支持するようにしても良いし、制御基板を収納した基板ボックスを介して支持するようにしても良い。
【０１０４】
また、遊技媒体収集排出部材に、基板支持部に支持された制御基板と電気的に接続され後方からスライド接続可能とされたドロワコネクタを備えるようにしても良く、これにより、ドロワコネクタと接続するコネクタを後方からスライド接続させるだけでドロワコネクタを介して容易に制御基板と接続することができ、電気配線の接続にかかる手間を簡略化することができる。因みに、「ドロワコネクタ」とは、ソケット側或いはプラグ側を相対的にスライド移動させることで、複数の電気的な配線同士を接続又は切断（解除）することのできる接続コネクタのことである。
【０１０５】
手段１６：手段４から手段１５までの何れか一つの構成において、
「前記遊技盤は、
前記パネルホルダの後面側で下端から所定高さまでの所定範囲内に配置され、平面状の後面に所定配列で配置され遊技媒体よりも小径で所定のビスを螺合可能な複数のビス孔を備えたパネル裏板を更に有している」ものであることを特徴とする。
【０１０６】
ところで、従来より遊技盤には、その中心よりも下部に入賞口やアタッカ装置、及びアウト口等が配置されるのが一般的であるので、遊技盤における裏面側の下部にはそれら入賞口等を支持すると共に、入賞口等に受入れられた遊技媒体を検出して後に排出誘導する検出誘導部材等が取付固定されている。そして、遊技盤の一部に共通パーツとしてパネルホルダを用いた場合、予めパネルホルダに複数の取付孔を備えていても、その下部に取付けられる部材の種類が多いので、パネルホルダをリサイクルして再利用しようとすると、一度用いられた取付孔を用いて部材を取付固定する確率が高くなり、一度使用された取付孔に再度ビスをねじ込むことによりビスの固定強度が低下する問題がある。
【０１０７】
手段１６の構成によると、パネルホルダの後面側で下端から所定範囲に配置され、遊技媒体よりも小径で所定のビスを螺合可能な複数のビス孔を後面側に備えた樹脂からなるパネル裏板を更に備えたものである。
【０１０８】
これにより、パネルホルダの下部の所定範囲内をパネル裏板として分割することができるので、パネルホルダをリサイクルして再利用する際に、パネル裏板を新しいものと交換して使用することで、一度使用した取付孔を使用するものを回避することができ、パネルホルダをリサイクルしても、取付けられる部材の取付強度が低下するのを防止することができる。
【０１０９】
また、リサイクルする際に、パネルホルダよりも小さいパネル裏板を新しいものとすれば良いので、パネルホルダ全体を新造する場合と比較して、その製造コストを少なくすることができる。
【０１１０】
手段１７：手段１６の構成において、
「前記パネル裏板は、
前記パネルホルダにおける前記所定範囲内の前記肉抜き部を覆うように配置されている」ものであることを特徴とする。
【０１１１】
ところで、遊技盤（パネルホルダ）を樹脂によって構成するようにした場合、樹脂は木製合板と比較して比重が大きいので、遊技盤の重量が重くなると共に樹脂の使用量が多くなり材料にかかるコストが増加する問題がある。そこで、遊技盤に複数の肉抜き部を形成することで、遊技盤を軽量化すると共に材料の使用量を少なくすることが考えられる。しかしながら、この場合、遊技媒体と接する部位に肉抜き部を形成すると、肉抜き部内に遊技媒体が侵入したり、肉抜き部に遊技媒体が接触したりして、遊技媒体が本来とは懸離れた意図しない動きをしたり、遊技媒体が停滞したりして遊技に影響を及ぼす恐れがある。
【０１１２】
手段１７の構成によると、パネル裏板を、パネルホルダの下端から所定範囲内に形成された肉抜き部を覆うように配置したものである。これにより、各種入賞口やアウト口等に受入れられた遊技媒体を排出するために、遊技パネルやパネルホルダの後面に沿うように流下した遊技媒体が、パネルホルダの後面側に形成された肉抜き部内に侵入したり、肉抜き部の開口に接触したりして、遊技媒体が本来とは懸離れた意図しない動きや、遊技媒体が停滞する等により遊技媒体の流通に不具合が生じ、遊技に影響が及ぼされるのを防止することができる。
【０１１３】
また、パネル裏板の後面側に箱状の遊技媒体収集排出部材を配置するようにした場合、パネル裏板により、遊技媒体収集排出部材の開放された前側を閉鎖することができ、遊技媒体収集排出部材により確実に遊技媒体を収集することができると共に、遊技媒体収集排出部材により収集された遊技媒体が、パネルホルダの後面側に形成された肉抜き部内に侵入したり、肉抜き部の開口に接触したりして、遊技媒体が本来とは懸離れた意図しない動きや、遊技媒体が停滞する等により遊技媒体の流通に不具合が生じ、遊技に影響が及ぼされるのを防止することができる。
【０１１４】
手段１８：手段１６又は手段１７の構成において、
「前記パネルホルダは、
その後面と前記パネル裏板の後面とが略同一面となるように、該パネル裏板を収容可能な収容凹部を更に備えている」ものであることを特徴とする。
【０１１５】
手段１８の構成によると、パネルホルダに、その後面がパネル裏板の後面と略同一面となるようにパネル裏板を収容可能な収容凹部を形成したものである。これにより、パネルホルダとパネル裏板の後面を略同一面とすることができるので、パネルホルダとパネル裏板との境界部において前後方向に段が形成されるのを回避することができ、パネルホルダの後面側に沿って流下する遊技媒体をパネル裏板の後面側へスムーズに受け渡すことができる。また、パネルホルダの後面側からパネル裏板が後方へ突出するのを防止することができるので、パネルホルダつまり遊技盤を遊技機における遊技盤装着枠に確実に装着固定することができる。
【０１１６】
なお、パネル裏板の前面側に減量用の凹陥部を形成するようにしても良く、これにより、パネル裏板の重量を軽減させることができると共に、パネル裏板に用いる材料の量を減らすことができ、パネル裏板にかかるコストを低減させることができる。また、パネル裏板において、ビス孔周りをボス状に、また、適宜位置にリブが形成されるように凹陥部を備えることが望ましく、これにより、ビス孔を用いた固定強度を維持することができると共に、パネル裏板全体の剛性が低下するのを防止することができる。
【０１１７】
手段１９：手段１６から手段１８までの何れか一つの構成において、
「前記パネルホルダ及び前記パネル裏板は、何れか一方に備えられる係止部と、何れか他方に備えられ該係止部に係止可能な係止爪とを備え、
前記係止部に前記係止爪を係止させることで、前記パネルホルダと前記パネル裏板とが互いに着脱自在に構成されている」ものであることを特徴とする。
【０１１８】
手段１９の構成によると、パネルホルダとパネル裏板の何れか一方に係止部を備えると共に、何れか他方に係止部と係止可能な係止爪を備えるようにして、それら係止部と係止爪とによりパネルホルダとパネル裏板とを着脱自在としたものである。
【０１１９】
これにより、係止部と係止爪とを互いに係止させるだけで容易にパネルホルダにパネル裏板を固定させることができ、組立にかかる手間を簡略化することができると共に、係止部と係止爪とを簡単に係止を解除することができるので、遊技機を分解する際に、パネルホルダからパネル裏板を容易に取外すことができ、分解にかかる手間も簡略化することができる。
【０１２０】
手段２０：手段１９の構成において、
「前記パネル裏板は、
前記ビス孔と対応するように複数の位置決め孔を更に備えている」ものであることを特徴とする。
【０１２１】
手段２０の構成によると、パネル裏板に、ビス孔と対応する位置に位置決め孔を備えるようにしたものである。これにより、パネル裏板に所定の部材を取付固定する際に、所定の部材に備えられた位置決め突起を位置決め孔に挿入させることで、パネル裏板と所定の部材との位置関係を正しい位置にすることができ、組付け性を向上させることができる。
【０１２２】
また、夫々のビス孔に対して対応する位置決め孔が備えられている、つまり、複数の位置決め孔が備えられているので、複数の位置決め孔によりパネル裏板が肉抜きされることとなり、パネル裏板の重量を軽減させることができる。なお、パネル裏板の位置決め孔は、パネルホルダの位置決め孔と同様の構成とすることが望ましく、これにより、遊技盤に取付固定される所定の部材の固定部の構造を統一することができ、設計ミスが発生するのを防止することができる。
【０１２３】
手段２１：手段４から手段２０までの何れか一つの構成において、
「前記遊技盤は、
前記遊技パネルの外周と前記パネルホルダとの間に所定量のクリアランスが形成されている」ものであることを特徴とする。
【０１２４】
ところで、遊技パネルをパネルホルダの嵌合段部に嵌合させるようにした場合、遊技パネルに用いる材料とパネルホルダに用いる材料の物性の違いや、同じ材料を用いても構造や大きさ等の違いによって、気温等による温度変化や経時変化等により相対的に遊技パネルが伸縮し、それらの間に隙間ができたり、互いに押圧しあって歪みが発生したりして、遊技パネルにガタ付が発生したり、遊技パネルがパネルホルダから脱落したり、或いは、遊技パネルやパネルホルダが歪により変形したりするような異常が発生する恐れがある。そして、その異常の発生によって、遊技媒体が意図しない動きをしたり、遊技機が破損したり、遊技を中断しなければならない状態となったりして、遊技に支障が出て遊技者の興趣を低下させてしまう恐れがある。
【０１２５】
手段２１の構成によると、遊技パネルの外周とパネルホルダとの間に所定量のクリアランスを形成するようにしたものである。これにより、遊技パネルの外周とパネルホルダとの間に所定量のクリアランスが形成されているので、温度変化や経時変化により相対的に遊技パネルが伸縮しても、遊技パネルがパネルホルダから脱落したりガタ付いたり、或いは遊技パネルとパネルホルダとが互いに押圧し合って歪みが発生したりするような異常が発生するのを防止することができ、異常の発生により遊技媒体が意図しない動きをしたり、遊技パネルやパネルホルダ等が破損したり、遊技を中断しなければならない状態となったりするのを防止して、遊技者の興趣が低下するのを抑制することができる。
【０１２６】
なお、遊技パネルをパネルホルダと前構成部材とにより挟持するようにしても良く、これにより、温度変化や経時変化等により遊技パネルが相対的に伸縮した際に、パネルホルダとの嵌合や外れたり、係合部と被係合部との係合が解除されたりしても、遊技パネルが遊技盤から脱落するのを確実に防止することができる。
【０１２７】
また、「所定量のクリアランス」としては、０〜１０ｍｍの間とすることが望ましく、更には、１〜３ｍｍの間とすることが望ましい。これよりも小さいと、遊技パネルが伸びた時に遊技パネルとパネルホルダとが強く接触して力が作用し遊技盤が歪む恐れがあるためであり、これよりも大きいと、遊技パネルが縮んだ時に遊技パネルとパネルホルダとの間の隙間が大きくなりすぎてガタ付等が発生する恐れがあるからである。
【０１２８】
手段２２：手段４から手段２１までの何れか一つの構成において、
「前記パネルホルダの前記嵌合段部には、前後方向に延び互いに離反した位置に少なくとも二つの突出ピンを備えると共に、
前記遊技パネルには、前記突出ピンと嵌合する嵌合孔と、前記突出ピンを挿通可能な長孔とが夫々一つずつ少なくとも形成されている」ものであることを特徴とする。
【０１２９】
手段２２の構成によると、パネルホルダの嵌合段部に少なくとも二つの突出ピンを備えるようにすると共に、遊技パネルに突出ピンと嵌合する嵌合孔と長孔とを少なくとも一つずつ備えるようにしたものである。
【０１３０】
これにより、遊技パネルの嵌合孔及び長孔に、パネルホルダの突出ピンを嵌合及び挿通させることで、容易に遊技パネルをパネルホルダに位置決めすることができると共に、遊技パネル等が温度変化や経時変化等によって伸縮しても、遊技パネルの長孔において固定位置が可動（スライド）して伸縮が許容されるので、位置決めした状態でも遊技パネルとパネルホルダとの間に応力が作用するのを防止して、応力がかかることで遊技盤が歪むのを防止することができる。
【０１３１】
手段２３：遊技機において、
「遊技者の操作によって遊技媒体が打ち込まれ少なくとも所定配列で複数の障害釘が前面側から植設される遊技領域、少なくとも略対向する二辺に配置され前面側が窪んだ段状の係合段部とされた係合部、所定位置に互いに離反して配置される嵌合孔及び長孔を備え、透明樹脂からなる遊技パネルと、
該遊技パネルの外周との間に所定量のクリアランスが形成されるように覆うと共に前記遊技パネルが着脱可能に嵌合し前面が前記遊技パネルの前面と略同一面となるような深さの嵌合段部、該嵌合段部の内側に配置され前後方向に貫通する貫通口、該貫通口の外周側且つ後面側に配置され少なくとも後面側外周部が後側に突出したような状態で前側に窪んだ形態の取付支持部、略全周に亘って配置され所定のビスを螺合可能な複数の第一取付孔と該第一取付孔に螺合されるビスよりも大径のビスが螺合可能とされ上下方向の中央よりも上側に配置される複数の第二取付孔とからなり少なくとも前記取付支持部に所定配列で配置される複数の取付孔、該取付孔と対応するように配置される複数の位置決め孔、少なくとも下端から所定高さまでの所定範囲では後面側に開口する複数の肉抜き部、前記所定範囲内に形成され後側から前側に向かって所定量窪んだ形態の収容凹部、該収容凹部内に備えられた係止部、前面から突出しないように形成され前記遊技パネルの前記係合部と着脱自在に係合し、略対向配置された一方の側が前記嵌合段部の前面との間に所定の隙間を形成した状態で前面に略沿った中心側に向かって延び前記係合段部と係合する係合突部と、該係合突部と略対向配置された他方の側が前記嵌合段部から前方に向かって大きくても前面まで突出し前記係合段部と係合する係合爪部とされた被係合部、前記嵌合段部から前後方向に延び前記遊技パネルの前記嵌合孔及び前記長孔と嵌合及び挿通可能な突出ピン、及び既存の障害釘植設装置の位置決め手段に対応した位置決め部を備えた熱可塑性樹脂からなる枠状のパネルホルダと、
該パネルホルダの前記嵌合段部に嵌合される前記遊技パネルの後面側に密着配置され、前記障害釘における植設側先端が前記遊技パネルの後面から突出するのを規制し、該遊技パネルよりも硬質な透明樹脂からなる保護部材と、
前記遊技パネル及び前記パネルホルダ前面側に配置され、前記遊技領域を区画形成すると共に該遊技領域内に遊技媒体を案内する案内レールを備え樹脂からなる前構成部材と、
前記パネルホルダの後面側で下端から所定高さまでの前記所定範囲内の前記肉抜き部を覆うように配置されると共に、前記パネルホルダの前記収容凹部に後面同士が略同一面となるように収容可能とされ、平面状の後面に所定配列で配置され遊技媒体よりも小径で所定のビスを螺合可能な複数のビス孔、該ビス孔と対応するように配置される複数の位置決め孔、及び前記パネルホルダの前記係止部に係止可能な係止爪を備えた樹脂からなるパネル裏板と、
該パネル裏板の後面側に配置されると共に前記パネルホルダの幅と対応した幅で前側及び上側が開放された箱状とされ、遊技媒体が通過可能な大きさの遊技媒体排出口を有した底板、及び前記パネルホルダの後面との間に所定量の隙間が形成される逃し部を少なくとも備え、前記遊技領域内に打ち込まれた遊技媒体を収集して前記遊技媒体排出口から下方へ排出する樹脂からなる遊技媒体収集排出部材と
を有した遊技盤、
及び該遊技盤の少なくとも透明な前記遊技パネルを通して遊技者から視認可能とされると共に、前記パネルホルダの前記取付孔を介して前記保護部材の後側に取付けられ、遊技者に対して所定の演出を提示可能な演出手段
を具備する」ものであることを特徴とする。
【０１３２】
手段２３の構成によると、遊技機に、「遊技媒体が打ち込まれ少なくとも所定配列で複数の障害釘が植設される遊技領域、少なくとも略対向する二辺に配置され前面側が窪んだ段状の係合段部とされた係合部、所定位置に互いに離反して配置される嵌合孔及び長孔を備え、透明樹脂からなる遊技パネル」と、「遊技パネルの外周との間に所定量のクリアランスが形成されるように覆うと共に遊技パネルが着脱可能に嵌合し前面が遊技パネルの前面と略同一面となるような深さの嵌合段部、嵌合段部の内側に配置され前後方向に貫通する貫通口、貫通口の外周側且つ後面側に配置され少なくとも後面側外周部が後側に突出したような状態で前側に窪んだ形態の取付支持部、略全周に亘って配置され所定のビスを螺合可能な複数の第一取付孔と第一取付孔よりも大径のビスが螺合可能とされ上下方向の中央よりも上側に配置される複数の第二取付孔とからなり少なくとも取付支持部に配置される複数の取付孔、取付孔と対応するように配置される複数の位置決め孔、少なくとも下端から所定高さまでの所定範囲では後面側に開口する複数の肉抜き部、下端から所定範囲内に形成され前側に向かって所定量窪んだ収容凹部、収容凹部内に備えられた係止部、前面から突出しないように形成され遊技パネルの係合部と着脱自在に係合し、略対向配置された一方の側が嵌合段部の前面との間に所定の隙間を形成し前面に略沿った中心側に向かって延びる係合突部と、係合突部と略対向配置された他方の側が嵌合段部から前方に向かって突出する係合爪部とされた被係合部、嵌合段部から前後方向に延び遊技パネルの嵌合孔及び長孔と嵌合及び挿通可能な突出ピン、及び既存の障害釘植設装置の位置決め手段に対応した位置決め部を備えた熱可塑性樹脂からなる枠状のパネルホルダ」と、「遊技パネルの後面側に密着配置され、障害釘における植設側先端が遊技パネルの後面から突出するのを規制し、遊技パネルよりも硬質な透明樹脂からなる保護部材」と、「遊技パネル及びパネルホルダ前面側に配置され、遊技領域を区画形成すると共に遊技領域内に遊技媒体を案内する案内レールを備えた樹脂からなる前構成部材」と、「パネルホルダの後面側で下端から所定高さまでの所定範囲内の肉抜き部を覆うように配置されると共に、パネルホルダの収容凹部に後面同士が略同一面となるように収容可能とされ、平面状の後面に配置されビスを螺合可能な複数のビス孔、ビス孔と対応するように配置される複数の位置決め孔、及びパネルホルダの係止部に係止可能な係止爪を備えた樹脂からなるパネル裏板」と、「パネル裏板の後面側に配置されると共にパネルホルダの幅と対応した幅で前側及び上側が開放された箱状とされ、遊技媒体が通過可能な大きさの遊技媒体排出口を有した底板、及びパネルホルダの後面との間に所定量の隙間が形成される逃し部を少なくとも備え、遊技領域内の遊技媒体を収集して遊技媒体排出口から下方へ排出する樹脂からなる遊技媒体収集排出部材」とを有した遊技盤、及び遊技盤における透明な遊技パネルを通して遊技者から視認可能とされると共にパネルホルダの取付孔を介して保護部材の後側に取付けられ、所定の演出を提示可能な演出手段を備えたものである。
【０１３３】
これにより、障害釘が植設された遊技盤の遊技パネルと演出表示手段等の演出手段との間に透明な保護部材が配置されているので、調整の際に障害釘を叩いても、障害釘の植設側先端が、保護部材によって演出手段に当接するのを阻止することができ、障害釘の調整によって演出手段が傷ついたり破損したりする不具合が発生するのを防止することができると共に、演出表示手段等の演出手段を保護部材によって障害釘の植設側先端から保護することができるので、例えば、演出手段として遊技盤の大きさと略同じ大きさの演出表示手段を問題なく備えることができ、遊技者に対して演出画像を大画面で見せることができ、迫力のある演出画像によって遊技者を楽しませて、より興趣の高められる遊技機とすることができる。
【０１３４】
また、障害釘の植設側先端から演出表示手段等の演出手段を保護する保護部材を備えているので、障害釘を植設する下孔を貫通孔としても何ら問題となることは無く、これにより、遊技パネルの厚さ全体を使って障害釘を保持することができ、障害釘の保持強度が低下するのを抑制して、遊技盤の耐久性が低下するのを防止することができる。また、障害釘用の下孔を貫通孔とすることができるので、遊技パネルの厚さが増加するのを防止することが可能となり、遊技パネルに係るコストが増加するのを抑制することができると共に、遊技パネルを有した遊技盤の重量が増加するのを抑制することができるので、遊技盤を支持する部分を補強したり遊技盤の取り回しがし辛くなったりするのを防止することができ、遊技機に係るコストが増加するのを抑制することができる。
【０１３５】
また、遊技パネルの後面側に保護部材が密着配置されているので、調整の際に障害釘を叩いても、障害釘の植設側先端が保護部材に当接して、障害釘が必要以上に遊技パネル側へ陥没するのを防止することができ、障害釘の調整の際に不具合が発生するのを防止することができる。
【０１３６】
更に、遊技パネルと保護部材とが密着しているので、保護部材の前面で光が反射するのを防止することが可能となり、保護部材での光の反射によって後側に配置された演出表示手段等の演出手段の演出が見辛くなるのを防止することができ、遊技者の興趣が低下するのを抑制することができる。また、遊技パネルと保護部材とが密着しているので、保護部材を遊技パネルと一体化されることとなり、遊技機の組立てに係る工程を少なくすることができ、組立てに係るコストを低減させることができる。
【０１３７】
また、保護部材を遊技パネルよりも硬質な樹脂材で形成しており、保護部材の厚さを薄くしても、障害釘から演出表示手段等を保護することができるので、保護部材の重さ可及的に軽くすることができ、遊技盤等の重量が増加するのを抑制して、上述した作用効果と同様の作用効果を奏することができる。
【０１３８】
更に、遊技パネルにおける一辺側の係合段部をパネルホルダの係合突部と係合させた後に、他方の辺側の係合段部をパネルホルダの係合爪部と弾性係合させることでパネルホルダに遊技パネルを係合保持させることができ、パネルホルダと遊技パネルとの着脱を容易に行わせることができる。また、遊技パネルの係合部（係合段部）とパネルホルダの被係合部（係合突部及び係合爪部）とを互いに係合させることで、遊技パネルとパネルホルダとが、その前面側が略面一となる状態で保持することができるので、従来より用いられている障害釘植設装置を改造等しなくても遊技パネルをパネルホルダに保持した状態で従前の障害釘植設装置にセットすることが可能となり、障害釘の植設にかかるコストが増加するのを抑制することができる。
【０１３９】
また、遊技パネルとパネルホルダとを互いに係合させる被係合部が、パネルホルダの前面から突出しないように備えられているので、パネルホルダに遊技パネルを保持させた状態で、遊技盤（遊技パネルやパネルホルダ）の前面に沿って障害釘植設装置等の加工装置を作動（移動）させても、加工装置が被係合部に当接することが無く、加工装置を用いて遊技盤に対し所定の加工（例えば、障害釘の植設など）を良好に行わせることができる。
【０１４０】
更に、パネルホルダに、既存の障害釘植設装置の位置決め手段と対応した位置決め部を備えており、遊技パネルを支持するパネルホルダを既存の障害釘植設装置にセットすることが可能となるので、既存の障害釘植設装置により遊技パネルに障害釘を植設することができ、障害釘植設装置を改造したり新造したりする必要が無く、遊技機の製造にかかるコストが増加するのを抑制することができる。
【０１４１】
また、パネルホルダの後面側の下端から所定範囲内に形成された肉抜き部を覆うように平面状のパネル裏板を配置しており、パネル裏板によりその後面側に配置される遊技媒体収集排出部材の開放された前側を閉鎖することができるので、各種入賞口やアウト口等に受入れられた遊技媒体を排出するために、遊技パネルやパネルホルダの後面に沿うように流下した遊技媒体や、遊技媒体収集排出部材により収集された遊技媒体が、パネルホルダの後面側に形成された肉抜き部内に侵入したり、肉抜き部の開口に接触したりして、遊技媒体が本来とは懸離れた意図しない動きや、遊技媒体が停滞する等により遊技媒体の流通に不具合が生じ、遊技に影響が及ぼされるのを防止することができる。
【０１４２】
更に、パネルホルダの肉抜き部を、パネルホルダの下端から所定範囲内までは後面側に開口するように形成しているので、その部位の前面側を平坦な面とすることができ、その前面側に前構成部材の案内レールを配置することで、案内レールにより遊技媒体を円滑に案内させることができる。
【０１４３】
また、パネルホルダに、その後面がパネル裏板の後面と略同一面となるようにパネル裏板を収容可能な収容凹部を形成しており、パネルホルダとパネル裏板の後面を略同一面とすることができるので、パネルホルダとパネル裏板との境界部において前後方向に段が形成されるのを回避することができ、パネルホルダの後面側に沿って流下する遊技媒体をパネル裏板の後面側へスムーズに受け渡すことができる。また、パネルホルダの後面側からパネル裏板が後方へ突出するのを防止することができるので、パネルホルダつまり遊技盤を遊技機における遊技盤装着枠に確実に装着固定することができる。
【０１４４】
更に、係止部と係止爪とを互いに係止させるだけで容易にパネルホルダにパネル裏板を固定させることができるので、組立にかかる手間を簡略化することができると共に、係止部と係止爪とを簡単に係止を解除することができるので、遊技機を分解する際に、パネルホルダからパネル裏板を容易に取外すことができ、分解にかかる手間も簡略化することができる。
【０１４５】
また、パネル裏板の前面側に減量用の凹陥部を形成しているので、これにより、パネル裏板の重量を軽減させることができると共に、パネル裏板に用いる材料の量を減らすことができ、パネル裏板にかかるコストを低減させることができる。
【０１４６】
更に、遊技盤におけるパネルホルダの後面側、具体的には、パネル裏板の後面側に、箱状の遊技媒体収集排出部材が備えられているので、遊技領域内の何れの位置に各種入賞口やアウト口等が配置されていても、それら入賞口等に受入れられることで遊技パネルの後方側に誘導されて排出される遊技媒体を箱状の遊技媒体収集排出部材により収集して、所定位置に配置された遊技媒体排出口から排出させることができる。つまり、入賞口等を遊技領域の何れの位置に配置しても遊技媒体を確実に排出することができるので、遊技機の機種を変更して入賞口等の位置が変化しても、遊技媒体収集排出部材を変更することなく遊技媒体を確実に排出させることができ、遊技媒体収集排出部材を共通パーツとすることが可能となり、遊技機にかかるコストが増加するのを抑制することができる。
【０１４７】
また、遊技媒体収集排出部材には、パネル裏板の後面との間に所定量の隙間を形成する逃し部を備えているので、この逃し部内に、パネル裏板の後面側のビス孔に取付けられる所定の部材（例えば、各種入賞口や受入口、演出用役物、装飾用役物、装飾部材、裏箱、演出表示手段等）に備えられたフランジ状の固定部が収納配置されるようにすることで、固定部がパネル裏板への遊技媒体収集排出部材の取付けの妨げとなるのを回避することができ、遊技媒体収集排出部材及び所定の部材を夫々パネル裏板の後面側に確実に取付固定することができる。また、遊技媒体収集排出部材に逃し部が備えられており、遊技媒体収集排出部材が配置された位置と略同じ位置に所定の部材を配置してパネル裏板に取付固定することができるので、パネルホルダやパネル裏板に対して所定の部材を任意の位置に自由に配置することができ、遊技機の設計自由度を高めて遊技者の興趣が高められるものとすることができる。
【０１４８】
更に、パネルホルダの後面側に、前側に窪んだ形態の取付支持部が備えられているので、この取付支持部に所定の部材の固定部を取付固定することで、固定部がパネルホルダの後面から後側に突出するのを防止することができ、パネルホルダすなわち遊技盤を、遊技機における遊技盤装着枠に確実に装着固定することができる。つまり、遊技機における遊技盤装着枠を加工（変更）しなくても遊技盤を装着することができるので、遊技盤装着枠を機種に依存しない共通パーツとすることができ、遊技機にかかるコストが増加するのを防止することができる。
【０１４９】
また、取付支持部をパネルホルダの外周付近に配置した場合、取付固定される所定の部材の固定部を可及的にパネルホルダの外周縁に近づけることができるので、よりパネルホルダの外周近くまで所定の部材を固定配置することが可能となり、より大きな所定の部材を取付固定したり、遊技盤の略全体に亘って所定の部材を配置したりすることができると共に、所定の部材によって広がりのある演出や装飾を行うことができ、遊技者の興趣を高められるものとすることができる。
【０１５０】
また、パネルホルダにおける後面側の外周部が後側に突出したような状態となるように取付支持部が備えられており、遊技盤（パネルホルダ）を装着する枠状の遊技盤装着枠に対して当接するパネルホルダの外周部をパネルホルダの最も後側に位置する端部とすることができるので、取付支持部に所定の部材の固定部を取付固定しても、パネルホルダすなわち遊技盤を遊技機の遊技盤装着枠に確実に装着させることができる。
【０１５１】
更に、遊技領域を有した遊技盤を、遊技パネル、パネルホルダ、及び前構成部材に分割するようにしているので、遊技機の機種によって障害釘や入賞口等の位置が変化する遊技パネルを交換パーツとすると共に、パネルホルダ及び前構成部材を共通パーツとすることができ、パネルホルダや前構成部材等をリサイクル可能とすることができると共に遊技パネルのみを交換するだけで種々の機種に対応可能な遊技盤を備えた遊技機とすることができる。
【０１５２】
また、機種に応じてパネルホルダに取付固定される入賞口や各種役物等の種々の所定の部材の取付固定位置が異なる位置となっていても、パネルホルダに予め複数の取付孔が所定配列で備えられているので、各種部材の固定部を取付孔の位置と対応させるように設計することで、パネルホルダを機種に依存しない遊技機の共通パーツとすることができ、機種を変更してもパネルホルダの成形型を流用することができるので、遊技機に係るコストを低減させることができる。
【０１５３】
更に、遊技パネルとパネルホルダとを分割するようにすると共にパネルホルダを共通パーツとすることができるので、一体成形する場合と比較して、機種を変更する度に遊技盤全体の大きさに相当する大型の成形型を新たに製作する必要が無く、機種変更に係るコストが増加するのを抑制することができる。
【０１５４】
また、遊技パネルをパネルホルダの嵌合段部に嵌合させた上で、係合部と被係合部とを互いに係合させることで着脱自在に係合保持するようにしており、接着固定していないので、遊技パネルとパネルホルダとを組立てるための組立工数が増加するのを抑制することができると共に、遊技パネルとパネルホルダとを容易に着脱することができるので、組立や、廃棄処分時等の分解に係る手間を簡略化することができる。
【０１５５】
更に、遊技パネルがパネルホルダの嵌合段部に嵌合されるので、パネルホルダの厚み内に遊技パネルの厚みを収めることが可能となり、遊技盤を遊技パネル、パネルホルダや、前構成部材等に分割される構成としても、その厚さが増加するのを抑制することができる。従って、遊技盤を既存のものと略同等の大きさのものとすることができるので、遊技機における遊技盤以外の部分を既存のものと共通化することができると共に、既存の製造ラインに載せることができ、製造に係るコストが増加するのを抑制することができる。
【０１５６】
また、一般的な重量の部材をパネルホルダに取付固定する場合は、全周に配置された第一取付孔を用いて取付固定し、重量の重い部材をパネルホルダに取付固定する場合には、上側に配置された大径のビスが螺合される第二取付孔を用いて取付固定するようにすることができるので、重量の重い部材を大径のビスにより固定して、その部材を確実に取付固定することができる。
【０１５７】
更に、パネルホルダに、取付孔と対応する位置に位置決め孔を備えるようにしているので、これにより、パネルホルダに所定の部材を取付固定する際に、所定の部材に備えられた位置決め突起を位置決め孔に挿入させることで、パネルホルダと所定の部材との位置関係を正しい位置にすることができ、組付け性を向上させることができる。
【０１５８】
また、パネルホルダに、少なくとも後面側に開口する複数の肉抜き部を備えるようにしているので、これにより、パネルホルダを軽量化することができ、従来の木製合板からなるものと比較して、遊技盤の重量が増加するのを抑制することができる。また、パネルホルダに樹脂を用いているので、射出成形等により複数の肉抜き部を容易に形成することができる。
【０１５９】
更に、少なくとも遊技パネルを透明部材により構成するようにしており、従来の遊技機のように遊技盤に開口部を備えなくても、遊技パネルを通して遊技盤の後方に配置された演出表示手段等を視認することができるので、遊技領域における実際に遊技媒体が流下可能な領域を可及的に広くすることができ、遊技媒体に種々の動きをさせて遊技者の興趣が低下するのを防止することができる。また、遊技領域が形成される遊技パネルを透明部材により構成するようにしているので、遊技パネルの後方に配置したものを遊技者に視認させることができ、例えば、遊技パネルの後方に、遊技領域全体に広がる大型の演出表示手段を配置してこれまでにない大型の演出画像を表示したり、種々の演出用や装飾用の役物を奥行き方向に配置してこれまでに無い奥行感のある遊技盤の構成としたりすることができ、遊技者の関心を引き付けられる訴求力の高い遊技機とすることができる。
【０１６０】
また、遊技パネルの少なくとも略対向する二辺に係合部を備えると共に、パネルホルダに遊技パネルの係合部と係合する被係合部を備えるようにしており、遊技パネルの係合部とパネルホルダの被係合部とを互いに係合させることで、遊技パネルをパネルホルダに容易に支持させることができる。
【０１６１】
更に、遊技パネルの外周とパネルホルダとの間に所定量のクリアランスが形成されるようにしており、このクリアランスによって、温度変化や経時変化により相対的に遊技パネルが伸縮しても、遊技パネルがパネルホルダから脱落したりガタ付いたり、或いは遊技パネルとパネルホルダとが互いに押圧し合って歪みが発生したりするような異常が発生するのを防止することができ、異常の発生により遊技媒体が意図しない動きをしたり、遊技パネルやパネルホルダ等が破損したり、遊技を中断しなければならない状態となったりするのを防止して、遊技者の興趣が低下するのを抑制することができる。
【０１６２】
また、パネルホルダの嵌合段部に少なくとも二つの突出ピンを備えるようにすると共に、遊技パネルに突出ピンと嵌合する嵌合孔と長孔とを少なくとも一つずつ備えるようにしており、遊技パネルの嵌合孔及び長孔に、パネルホルダの突出ピンを嵌合及び挿通させることで、容易に遊技パネルをパネルホルダに位置決めすることができると共に、遊技パネル等が温度変化や経時変化等によって伸縮しても、遊技パネルの長孔において固定位置が可動（スライド）して伸縮が許容されるので、位置決めした状態でも遊技パネルとパネルホルダとの間に応力が作用するのを防止して、応力がかかることで遊技盤が歪むのを防止することができる。
【０１６３】
手段２４：手段１から手段２３までの何れか一つの遊技機において、
パチンコ機であることを特徴とする。
ここで、パチンコ機とは、遊技者が遊技機に投入する媒体である投入媒体と、遊技者が行う実質的な遊技に用いられる媒体である遊技媒体とを同一のものとした遊技機であり、投入された例えば遊技球等の媒体を用いて遊技が行われるタイプの遊技機の一種である。具体的には、「操作ハンドルの操作に対応して遊技球を発射する発射装置と、多数の障害釘、役物、表示手段等の適宜の機器が組み込まれたり、始動入賞口、大入賞口、通過口、到達口等の遊技球が入球する適宜の入球口が設けられた遊技領域と、発射装置から遊技領域に遊技球を導くレールと、遊技領域に導かれた遊技球の入球口への入球に応じたり、複数の入球口への遊技球の入球態様に応じて、所定数の遊技球を賞球として払い出す払出手段とを具備するもの」である。
【０１６４】
なお、パチンコ機としては、種々のタイプのものがあり、一般に「デジパチ機」と称されるものに代表される「入球口への入球状態を検出する入球状態検出手段（遊技状態検出手段として捉えることもできる）と、入球状態検出手段によって入球が検出されると所定の抽選を行う抽選手段と、抽選手段の抽選結果に応じて特別図柄を変動させると共に変動を停止させる特別図柄表示手段とを備えたもの」や「加えて、特別図柄の変動中に、複数の図柄からなる図柄列を変動表示し、図柄列にて図柄を停止表示させたり、キャラクタや種々の物品等の表示物を描写し、表示物を動作させたりする等によって適宜の演出表示を行う演出表示手段を更に具備するもの」、一般に「ハネモノ機」と称されるものに代表される「役物内での遊技球の振分けによって抽選を行う抽選手段を備えたもの」、一般に「アレパチ機」と称されるものに代表される「例えば１６個等の所定個数の遊技球により１ゲームが行われ、１ゲームにおける複数の入球口への遊技球の入球態様に応じて所定個数の遊技球の払出しを行うもの」等を例示することができる。
【０１６５】
手段２４の構成によると、パチンコ機において、上述した手段のいずれかの作用効果を奏することができる。
【０１６６】
手段２５：手段１から手段２３までの何れか一つの遊技機において、
パチスロ機であることを特徴とする。
ここで、パチスロ機とは、投入媒体であるメダルを投入し、メダルの投入後、始動用操作手段（例えば操作レバー）の操作によって、夫々複数の図柄が描かれた複数のリールを回転させる等して、各リール等によって構成された図柄列を変動表示させるとともに、その後、停止用操作手段（例えばストップボタン）の操作に応じて各図柄列の変動表示を停止させる、といった遊技が遊技者によって行われるものである。換言すれば、停止操作機能付きのスロットマシーンとして捉えることができるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【０１６７】
手段２５の構成によると、パチスロ機において、上述した手段のいずれかの作用効果を奏することができる。
【０１６８】
手段２６：手段１から手段２３までの何れか一つの遊技機において、
パチンコ機とパチスロ機とを融合させてなることを特徴とする。
ここで、「パチンコ機とパチスロ機とを融合させてなる遊技機」とは、複数個（例えば５個）の遊技球を１単位の投入媒体とし、投入媒体を投入した後、始動用操作手段（例えば操作レバー）の操作に応じて複数の図柄からなる図柄列を変動表示させるとともに、その後、停止用操作手段（例えばストップボタン）の操作に応じて図柄列の変動を停止させるものである。なお、所定時間が経過しても停止用操作手段が操作されない場合には、所定時間経過したことに応じて図柄列の変動表示を停止させるものであってもよい。そして、各図柄列の変動表示の停止時において、表示された単体の図柄が特定の図柄であったり、各図柄列にて表示された図柄の組合わせが特定の組合せであったりする等、特定の条件を満たす場合に、満たされた条件に応じて所定個数のメダルを払出したり、遊技者が多量のメダルを獲得することができる遊技者に有利な特別有利状態を発生させたりするものである。
【０１６９】
手段２６の構成によると、パチンコ機とパチスロ機とを融合させてなる遊技機において、上述した手段のいずれかの作用効果を奏することができる。
【発明の効果】
【０１７０】
このように、本発明によれば、透明な遊技盤に植設された障害釘の調整の際に不具合が発生するのを防止することが可能な遊技機を提供することができる。
【発明を実施するための最良の形態】
【０１７１】
以下、本発明の一実施形態であるパチンコ遊技機（以下、単に「パチンコ機」という）を、図面に基づいて詳細に説明する。
［パチンコ機の全体構成について］  図１及び図２に基づき説明する。
図１はパチンコ機の前側全体を示す正面図であり、図２はパチンコ機の外枠の一側に本体枠が開かれ、その本体枠の一側に更に前面枠が開かれた状態を示す斜視図である。なお、図１及び図２においては遊技領域における装飾部材を省略して示している。
パチンコ機１は、外枠２、本体枠３、前面枠４、及び遊技盤５等を備えて構成されている。外枠２は、上下左右の木製の枠材によって縦長四角形の枠状に形成され、同外枠２の前側下部には、本体枠３の下面を受ける下受板６を有している。外枠２の前面の片側には、ヒンジ機構７によって本体枠３が前方に開閉可能に装着されている。なお、外枠２は、樹脂やアルミニウム等の軽金属によって形成されていてもよい。
【０１７２】
［本体枠の構成について］  図１及び図３に基づき説明する。
図３はパチンコ機の本体枠と遊技盤とを分離して斜め右上前方から示す斜視図である。
本体枠３は、前枠体１１、遊技盤装着枠１２及び機構装着体１３を樹脂材によって一体成形することで構成されている。本体枠３の前枠体１１は、外枠２（図２参照）の前側の下受板６を除く外郭形状に対応する大きさの矩形枠状に形成されている。そして、前枠体１１の片側の上下部には、本体枠側ヒンジ具１５が固定されており、外枠２の片側の上下部に固定された外枠側ヒンジ具１４に対してヒンジピン及びヒンジ孔によって開閉回動可能に装着されている。すなわち、外枠側ヒンジ具１４、本体枠側ヒンジ具１５、ヒンジピン及びヒンジ孔によってヒンジ機構７が構成されている。
【０１７３】
前枠体１１の前側において、遊技盤装着枠１２よりも下方に位置する前枠体１１の前下部左側領域にはスピーカボックス部１６が一体に形成され、そのスピーカボックス部１６の前側開口部には、同開口部を塞ぐようにしてスピーカ装着板１７が装着されている。そして、スピーカ装着板１７にはスピーカ１８が装着されている。また、前枠体１１前面の下部領域内において、その上半部分には発射レール１９が傾斜状に装着されている。また、前枠体１１前面の下部領域内の下半部分には下部前面板３０が装着されている。そして、下部前面板３０の前面の略中央部には、遊技球を貯留可能な下皿３１が設けられ、右側寄りには操作ハンドル３２が設けられ、左側寄りには灰皿３３が設けられている。なお、下皿３１には、遊技球を下方に排出するための球排出レバー３４が配設されている。
【０１７４】
［前面枠の構成について］  図１及び図２に基づき説明する。
前枠体１１の前面の片側には、その前枠体１１の上端から下部前面板３０の上縁にわたる部分を覆うようにして、前面枠４がヒンジ機構３６によって前方に開閉可能に装着されている。また、前面枠４の略中央部には、遊技盤５の遊技領域３７を前方から透視可能な略円形の開口窓３８が形成されている。また、前面枠４の後側には開口窓３８よりも大きな矩形枠状をなす窓枠３９が設けられ、その窓枠３９にはガラス板、透明樹脂板等の透明板５０が装着されている。また、前面枠４の前面の略全体は、ランプ等が内設された前面装飾部材によって装飾され、同前面枠４の前面の下部には上皿５１が形成されている。詳しくは、開口窓３８の周囲において、左右両側部にサイド装飾装置５２が、下部に上皿５１が、上部に音響電飾装置５３が装着されている。サイド装飾装置５２は、ランプ基板が内部に配置され且つ樹脂材によって形成されたサイド装飾体５４を主体として構成されている。サイド装飾体５４には、横方向に長いスリット状の開口孔が上下方向に複数配列されており、該開口孔には、ランプ基板に配置された光源に対応するレンズ５５が組み込まれている。音響電飾装置５３は、透明カバー体５６、スピーカ５７、スピーカカバー５８、及びリフレクタ体（図示しない）等を備え、これらの構成部材が相互に組み付けられてユニット化されている。また、上皿５１の左側には、遊技者が操作可能なボタン５９が設けられている。
【０１７５】
［施錠装置の構成について］  図２及び図３に基づき説明する。
前枠体１１のヒンジ機構３６に対して反対側となる自由端側の後側には、外枠２に対し本体枠３を施錠する機能と、本体枠３に対し前面枠４を施錠する機能とを兼ね備えた施錠装置７０が装着されている。すなわち、この実施形態において、施錠装置７０は、外枠２に設けられた閉止具７１に係脱可能に係合して本体枠３を閉じ状態に施錠する上下複数の本体枠施錠フック７２と、前面枠４の自由端側の後側に設けられた閉止具７３に係脱可能に係合して前面枠４を閉じ状態に施錠する上下複数の扉施錠フック７４と、パチンコ機１の前方から鍵が挿入されて解錠操作可能に、前枠体１１及び下部前面板３０を貫通して露出されたシリンダー錠７５とを備えている。そして、シリンダー錠７５の鍵穴に鍵が挿入されて一方向に回動操作されることで本体枠施錠フック７２と外枠２の閉止具７１との係合が外れて本体枠３が解錠され、これとは逆方向に回動操作されることで、扉施錠フック７４と前面枠４の閉止具７３との係合が外れて前面枠４が解錠されるようになっている。
【０１７６】
［遊技盤装着枠の構成について］  図２乃至図４に基づき説明する。
図４はパチンコ機の後側全体を示す背面図である。
図２及び図３に示すように、本体枠３の遊技盤装着枠１２は、前枠体１１の後側に設けられかつ遊技盤５が前方から着脱交換可能に装着されるようになっている。遊技盤５は、遊技盤装着枠１２の前方から嵌込まれる大きさの略四角板状に形成されている（図９参照）。遊技盤５の盤面（前面）には、外レール７６と内レール７７とを備えた案内レール７８が設けられ、その案内レール７８の内側に遊技領域３７が区画形成されている。なお、発射レール１９と案内レール７８との間には、所定の隙間が設けられており、発射された遊技球が案内レール７８を逆戻りした場合には、その遊技球は、その隙間から排出され下皿３１に案内されるように構成されている。また、遊技盤５の前面には、その案内レール７８の外側領域において、樹脂製の前構成部材７９が装着されている。
【０１７７】
一方、図４に示すように、遊技盤５の後側下部には、その中央部から下部にわたる部分において、各種入賞装置に流入した遊技球を受けかつその遊技球を所定位置まで導く集合樋としての機能とボックス装着部としての機能を兼ね備えた基板ホルダ９１が設けられている。この基板ホルダ９１の後側には、音声制御基板、ランプ制御基板等の副制御基板９２が収納された副制御基板ボックス９３が装着され、その副制御基板ボックス９３の後側に重ね合わされた状態で、主制御基板９４が収納された主制御基板ボックス９５が装着されている。さらに、遊技盤５の後側に対し基板ホルダ９１、副制御基板ボックス９３及び主制御基板ボックス９５がそれぞれ装着された状態において、本体枠３の遊技盤装着枠１２の前方から遊技盤５を嵌込んで装着できるように、遊技盤５の外郭より外側にはみ出すことなく基板ホルダ９１、副制御基板ボックス９３及び主制御基板ボックス９５が配置されている。
【０１７８】
［本体枠の機構装着体、球タンク及びタンクレールの構成について］  図７及び図８に基づき説明する。
図７はパチンコ機の本体枠に各種部材が組み付けられた状態を斜め右上後方から示す斜視図であり、図８は本体枠単体を斜め右上後方から示す斜視図である。
本体枠３の機構装着体１３には、タンク装着部１１１、レール装着部１１２、及び払出装置装着部１１３等がそれぞれ形成され、タンク装着部１１１には球タンク１１４が装着されている。球タンク１１４は、透明な樹脂材よりなり、島設備から供給される多数の遊技球が貯留可能な上方に開口する箱形状に形成されている。そして、球タンク１１４の遊技球の貯留状態が球タンク１１４の後側壁を透して視認可能となっている。また、球タンク１１４の底板部１１５の後側隅部には遊技球を放出する放出口１１６が形成されるとともに、底板部１１５は放出口１１６に向けて下傾する傾斜面に形成されている。
【０１７９】
本体枠３の機構装着体１３には、そのタンク装着部１１１に下方に接近してレール装着部１１２が一体に形成され、そのレール装着部１１２にレール構成部材１１７が装着されることでタンクレール１１８が構成されるようになっている。すなわち、この実施形態において、レール装着部１１１は、本体枠３の上部横方向部分が所定深さ凹まされた状態で形成されており、その凹部の奥側壁をタンクレール１１８の前壁部１１９とし、その凹部の下縁部に沿って一端（図８に向かって左端）から他端（図８に向かって右端）に向けて下傾する傾斜状のレール棚１２０が形成されている。そして、レール棚１２０の横方向に延びる上向き面をレール受け部１２１としている。
【０１８０】
レール装着部１１２に装着されてタンクレール１１８を構成するレール構成部材１１７は、レール装着部１１２の前壁部１１９との間にレール通路を構成する後壁部１２２と、傾斜状をなす下板部と、その下板部の上面の前後方向中央部に沿って突設されレール通路を前後複数列（この実施形態では前後２列）に区画する仕切り壁（いずれも図示しない）とを一体に備えて形成されている。このレール構成部材１１７は、レール装着部１１２に対し適宜の取付手段によって装着され、これによって、前後複数列のレール通路を備えたタンクレール１１８が構成されている。そして、球タンク１１４の放出口１１６から放出（自重によって落下）された遊技球がタンクレール１１８の前後複数列のレール通路の一端部においてそれぞれ受けられた後、遊技球が自重によってレール通路に沿って転動することでレール通路の他端部に向けて流れるようになっている。また、この実施形態において、レール構成部材１１７は、透明な樹脂材より形成され、これによって、レール通路内の遊技球の流れ状態が、レール構成部材１１７の後壁部１２２を透して視認可能となっている。
【０１８１】
タンクレール１１８（レール装着部１１２）の前壁部１１９は、遊技盤５の後側に突出する装備品（例えば役物）における後部の上端部との干渉を避けるため第１空間部を隔てた状態で設けられている。また、この実施形態において、本体枠３の後端部となるレール棚１２０の後端と、タンクレール１１８の後壁部は、球タンク１１４の後側壁と略同一面をなしている。言い換えると、球タンク１１４の後壁部に対しタンクレール１１８の後壁部が略同一面となる位置までタンクレール１１８が遊技盤５の後面より後方に離隔して配置されている。これによって、遊技盤５の後側とタンクレール１１８の前壁部１１９との間に装備品（例えば役物）の後部との干渉を避けるための第１空間部が設けられるようになっている。
【０１８２】
また、タンクレール１１８の上方には、レール通路を流れる遊技球を上下に重なることなく整列させる整流体１２３がその上部において軸１２４を中心として揺動可能に装着されている。この整流体１２３には、その中央部から下部において錘が設けられている。
【０１８３】
［払出装置装着部及び球払出装置の構成について］  図７及び図８に基づき説明する。
本体枠３の機構装着体１３の片側寄りの上下方向には、次に述べる球払出装置（球払出ユニット）１２５に対応する縦長の払出装置装着部１１３が形成されている。払出装置装着部１１３は、後方に開口部をもつ凹状に形成されている。また、払出装置装着部１１３の段差状をなす奥壁部（図示しない）の所定位置には、球払出装置１２５の払出用モータ１２６（図３参照）が突出可能な開口部１２７が形成されている。
【０１８４】
払出装置装着部１１３の凹部に球払出装置１２５が装着された状態において、遊技盤５との間には、第１空間部と前後方向に略同一レベルとなる第２空間部が設けられている。これによって、レール通路と球通路とが前後方向に略同一レベルで配置されている。また、本体枠３の後端、すなわち払出装置装着部１１３の周壁部後端、レール棚１２０の後端、球タンク１１４、タンクレール１１８及び球払出装置１２５のそれぞれの後面は略同一面をなしている。
【０１８５】
球払出装置１２５は、払出装置装着部１１３の凹部と略同じ大きさの縦長のボックス形状をなし、払い出しに関する各種部品が装着されることでユニット化されている。なお、球払出装置１２５は、払出装置装着部１１３の凹部の後方開口部から嵌込まれて適宜の取付手段（例えば、弾性クリップ、係止爪、ビス等の取付手段）によって装着されるようになっている。
【０１８６】
また、図示しないが、球払出装置１２５は、タンクレール１１８におけるレール通路の出口にそれぞれ連通する流入口を有する球通路が前後複数列（例えば前後２列）に区画されて形成されている。また、その内部に形成された前後複数列の球通路の下流部が二股状に分岐されて前後複数列の賞球及び貸球用球通路と球抜き用球通路とがそれぞれ形成されている。そして賞球及び貸球用球通路と球抜き用球通路との分岐部には、遊技球をいずれかの通路に振り分けて払い出すための回転体よりなる払出部材（図示しない）が正逆回転可能に配設されている。
【０１８７】
［本体枠の後側下部の装備について］  図３及び図４に基づき説明する。
本体枠３の前枠体１１の後側において、遊技盤装着枠１２よりも下方に位置する前枠体１１の後下部領域の片側（図４に向かって左側）には、発射レール１９の下傾端部の発射位置に送られた遊技球を発射するための発射ハンマー（図示しない）、その発射ハンマーを作動する発射モータ１２８等が取付基板１２９に組み付けられてユニット化された発射装置ユニット１３０が装着されている。また、前枠体１１の後下部領域の略中央部には、電源基板１３１を収容する電源基板ボックス１３２が装着され、その電源基板ボックス１３２の後側に重ね合わされた状態で払出制御基板１３３を収容する払出制御基板ボックス１３４が装着されている。払出制御基板１３３は、遊技球を払い出す数を記憶するＲＡＭを備え、主制御基板９４から送信される払出用信号に従って遊技球を払い出す制御信号を中継用回路基板（図示しない）に伝達して払出用モータ１２６を作動制御するようになっている。
【０１８８】
［後カバー体の構成について］  図４及び図５に基づき説明する。
図５はパチンコ機の後側全体を右上後方から示す斜視図である。
遊技盤５後面に配置された表示装置制御基板ボックス１３５（図６参照）及び主制御基板ボックス９５の後端部は機構装着体１３の中央部に開口された窓開口部に向けて突出している。そして、機構装着体１３の窓開口部の一側壁を構成する側壁部と他側壁を構成する払出装置装着部１１３の片側壁との間には、不透明な樹脂材によって略方形の箱形状に形成された後カバー体１３６がカバーヒンジ機構１３７によって開閉並びに着脱可能に装着されている。
【０１８９】
後カバー体１３６は、略四角形状の後壁部１３８と、その後壁部１３８の外周縁から前方に向けて突出された周壁部１３９とから一体に構成されている。後カバー体１３６の周壁部１３９のうち、一側の壁部１３９ａには、機構装着体１３の側壁部の上下及び中間の計３箇所に形成されたヒンジ体１４０のヒンジ孔の上方からそれぞれ着脱可能に嵌込まれるヒンジピン１４１を下向きに有するヒンジ体１４２が一体に形成されている。また、後カバー体１３６の周壁部１３９のうち、他側の壁部１３９ｂには、払出装置装着部１１３の片側壁に形成された係止孔に弾性的に係合可能な係止爪を有する弾性閉止体１４３が一体に形成されている。
【０１９０】
すなわち、後カバー体１３６は、その上下及び中間のヒンジ体１４２の各ヒンジピン１４１が機構装着体１３の側壁部のヒンジ体１４０のヒンジ孔の上方からそれぞれ嵌込まれる。この状態で、ヒンジピン１４１を中心として後カバー体１３６が機構装着体１３の他側に向けて回動されながら、その弾性閉止体１４３を払出装置装着部１１３の片側壁の係止孔に差し込んで弾性的に係合させることで、機構装着体１３の後側に後カバー体１３６が閉じ状態で保持される。そして、後カバー体１３６によって、遊技盤５後面の表示装置制御基板ボックス１３５（図６参照）全体及び主制御基板ボックス９５の略中間部から上端にわたる部分が後カバー体１３６によって覆われるようになっている。これによって、主制御基板ボックス９５の上部に露出された主制御基板９４の基板コネクタ（主として表示装置制御基板と接続するための基板コネクタ）が後方から視認不能に隠蔽されている。
【０１９１】
また、主制御基板ボックス９５の略中間部から下端にわたる部分は後カバー体１３６によって覆われることなく露出されている。そして、主制御基板ボックス９５の下部には、その主制御基板９４上に配置された検査用コネクタ１４４が露出されており、後カバー体１３６が閉じられた状態で主制御基板９４上の検査用コネクタ１４４に基板検査装置（図示しない）を接続して検査可能となっている。
【０１９２】
後カバー体１３６には、多数の放熱孔１４５、１４６、１４７、１４８が貫設されており、これら多数の放熱孔１４５、１４６、１４７、１４８から内部の熱が放出されるようになっている。この実施形態において、後カバー体１３６には、その周壁部１３９から後壁部１３８に延びる多数のスリット状の放熱孔１４５が貫設され、後壁部１３８の略中間高さ位置から上部においては多数の長円形、楕円形等の放熱孔１４６が貫設され、後壁部１３８の下部には多数の長円形、楕円形等の放熱孔１４７と所定数の横長四角形状の放熱孔１４８が貫設されている。
【０１９３】
また、横長四角形状の放熱孔１４８は、主制御基板ボックス９５の封印ねじ（封印部材）によって封印される複数の並列状の封印部１４９の列の大きさ及び配設位置に対応する大きさ及び位置に貫設されている。これによって、不透明な後カバー体１３６が閉じられた状態であっても、主制御基板ボックス９５の複数の並列状の封印部１４９が放熱孔１４８の部分において視認可能に露出される。このため、後カバー体１３６が閉じられた状態であっても、主制御基板ボックス９５の封印部１４９の封印状態を容易に視認することができる。また、不透明な樹脂材は、透明な樹脂材と比べ、リサイクル使用される樹脂材を材料として用いることが容易であるため、後カバー体１３６を安価に製作することができる。
【０１９４】
後カバー体１３６の周壁部１３９のうち、上側壁部１３９ｃの所定位置（この実施形態では左右２箇所）には、電源コード（図示しない）を適宜に折り畳んだ状態で保持する略Ｃ字状でかつ弾性変形可能なコード保持体１５０が上方のタンクレール１１８の後壁面（レール構成部材１１７の後壁面）に向けて延出されている。このコード保持体１５０の先端部には、同コード保持体１５０を弾性変形させて電源コードを取り外すためのつまみが形成されている。
【０１９５】
電源コードは、その一端が分電基板１５１の基板コネクタ１５２に取り外し可能に接続され、他端の電源プラグが電源コンセントに差し込まれる。前記したように、後カバー体１３６にコード保持体１５０を一体に形成して電源コードを保持することで、パチンコ機１を運搬、保管する際に電源コードがぶらついて邪魔になったり、異物に引っ掛かる不具合を防止することができる。
【０１９６】
［本体枠の後側下部の下皿用球誘導体等の構成について］  図１及び図６に基づき説明する。
図６は、図５に示すパチンコ機の斜視図から後カバー体及び各種制御基板等を取り外した状態を示す斜視図である。
本体枠３の後下部領域の他側寄り部分（ヒンジ寄り部分）には、そのスピーカボックス部１６の後段差部の凹み部分において下皿用球誘導体１５３が装着されている。この下皿用球誘導体１５３は、球払出装置１２５の賞球及び貸球用球通路から上皿連絡路（図示しない）を経て上皿５１に払い出された遊技球が満杯になったときに、上皿連絡路の遊技球を下皿３１に導くためのものである。
【０１９７】
なお、この実施形態において、下皿用球誘導体１５３の後壁外面には、インタフェース基板１５４を収納している基板ボックス１５５が装着されている。なお、インタフェース基板１５４は、パチンコ機１に隣接して設置される球貸機と払出制御基板１３３との間に介在され、球貸に関する信号を球貸機と払出制御基板１３３との間で送受信可能に電気的に接続するようになっている。
【０１９８】
［遊技盤の構成について］  図９乃至図２０に基づき説明する。
図９は主要な部材により構成された遊技盤を斜め前方から示す斜視図であり、図１０は、図９に示す遊技盤を斜め後方から示す斜視図である。図１１は、遊技盤を縦方向に切断して示す断面図である。図１２は遊技盤を分解して斜め前方から示す分解斜視図であり、図１３は遊技盤を分解して斜め後方から示す分解斜視図である。図１４（Ａ）は前構成部材を斜め前方から示す斜視図であり、（Ｂ）は前構成部材を斜め後方から示す斜視図である。図１５（Ａ）は遊技パネルを斜め前方から示す斜視図であり、（Ｂ）は遊技パネルを斜め後方から示す斜視図である。図１６（Ａ）はパネルホルダを斜め前方から示す斜視図であり、（Ｂ）はパネルホルダを斜め後方から示す斜視図である。図１７（Ａ）はパネル裏板を斜め前方から示す斜視図であり、（Ｂ）はパネル裏板を斜め後方から示す斜視図である。図１８（Ａ）は基板ホルダを斜め前方から示す斜視図であり、（Ｂ）は基板ホルダを斜め後方から示す斜視図である。図１９（Ａ）はパネルホルダとパネル裏板とを分解して示す分解斜視図であり、（Ｂ）はパネルホルダにパネル裏板を組付けた状態で示す組立斜視図である。
【０１９９】
本実施形態の遊技盤５は、図示するように、遊技領域３７と対応する大きさの透明な樹脂からなる板状の遊技パネル２００と、遊技パネル２００を着脱可能に嵌合する樹脂からなる枠状のパネルホルダ２０２と、パネルホルダ２０２の前側に配置されパネルホルダ２０２と協働して遊技パネル２００を挟持し、遊技領域３７を区画形成すると共に遊技領域３７内に遊技球を案内する案内する外レール７６及び内レール７７からなる案内レール７８を備えた前構成部材７９とを主に備えている。
【０２００】
また、遊技盤５には、パネルホルダ２０２の後面側で下端から所定高さまでの所定範囲内に配置される板状のパネル裏板２０４と、パネル裏板２０４の後面側に配置されると共に前側及び上側が開放された箱状で後側に主制御基板ボックス９５等を支持可能な基板ホルダ９１と、基板ホルダ９１の後側に支持された主制御基板ボックス９５内の主制御基板９４等と電気的に接続され後方からスライド接続可能とされたドロワコネクタ２０６と、ドロワコネクタ２０６を基板ホルダ９１に支持するドロワコネクタホルダ２０８とを更に備えている（図１０及び図１１等を参照）。
【０２０１】
また、遊技盤５には、遊技パネル２００とパネルホルダ２０２との間に配置され、遊技パネル２００の後面側に密着配置される透明樹脂からなる保護部材２０９を更に備えている（図１１乃至図１３参照）。なお、この保護部材２０９を、遊技パネル２００よりも硬質な樹脂で形成することが望ましく、保護部材２０９の厚さを薄くしても、障害釘２０１から演出表示装置２１２等を保護することができるので、保護部材２０９の重さを可及的に軽くすることができ、遊技盤５等の重量が増加するのを抑制することができる。
【０２０２】
更に、遊技盤５には、パネルホルダ２０２の後面側に取付固定されると共に遊技パネル２００との間で所定容積の空間を形成可能な枠状箱型の裏箱２１０と、裏箱２１０の後面側に支持され所定の演出画像を表示可能なＬＣＤからなる演出表示装置２１２（本発明の演出手段に相当）とを更に備えている（図１１参照）。この演出表示装置２１２は、裏箱２１０の後面側に形成された開口部２１０ａを閉鎖するように裏箱２１０に着脱可能に支持されている。また、演出表示装置２１２は、透明な遊技パネル２００を通して、パチンコ機１の前方から視認できるようになっている。
【０２０３】
なお、この演出表示装置２１２の後側には、演出表示装置２１２等を制御する表示装置制御基板ボックス１３５が取付けられている。また、演出表示装置２１２は、従来のパチンコ機に用いられている演出表示装置と比較して、より大型のもの（例えば、５〜２１インチ）が備えられている。更に、裏箱２１０には、パネルホルダ２０２に取付固定するためのフランジ状の固定部２１０ｂと、固定部２１０ｂから前方に突出する位置決め突起２１０ｃが備えられている。
【０２０４】
この遊技盤５における前構成部材７９は、上述した通り遊技球を案内する外レール７６及び内レール７７とからなる案内レール７８を備えていると共に、外レール７６の上端と内レール７７の下端とを結ぶような円弧状の開口７９ａを備えており、この案内レール７８と開口７９ａとによって正面視略円形状の遊技領域３７が区画形成されるようになっている。そして、この案内レール７９により、図示しない遊技球の発射装置によって発射レール１９に沿って発射された遊技球が、遊技領域３７の上部に案内されるようになっている。
【０２０５】
案内レール７８における外レール７６の下端付近には、下方へ窪んだ凹部７６ａが形成されており、この凹部７６ａは、遊技球の発射速度等の関係により発射された遊技球が案内レール７８から遊技領域３７内に打ち込まれずに、案内レール７８内を逆流した遊技球を収容して上皿５１等に排出するものである。この凹部７６ａにより、案内レール７８内を逆流した遊技球が、発射装置に戻って不具合が発生するのを防止することができるようになっている。
【０２０６】
また、内レールの下端には、前構成部材７９の後側が低くなるように傾斜した傾斜部７９ｂが備えられている。この傾斜部７９ｂは、遊技領域３７内に打ち込まれて遊技領域３７の下端に到達した遊技球を、「死球」としてパチンコ機１から排出するためのアウト口２１４へ誘導するためのものである。
【０２０７】
この前構成部材７９には、図示するように、その後面側に、後方へ突出する複数の位置決め固定ボス７９ｃ及び位置決め突起７９ｄが備えられている。これら位置決め固定ボス７９ｃ及び位置決め突起７９ｄは、詳細は後述するが、後側に配置されるパネルホルダ２０２及び基板ホルダ９１と位置決めできるようになっている。なお、内レール７７の後面側にも位置決め突起７９ｄが複数備えられており、後述する遊技パネル２００の内レール固定孔２００ｄ（図１５参照）に嵌合固定されるようになっている。
【０２０８】
遊技盤５における遊技パネル２００は、図１５にも示すように、その外形が遊技領域３７よりも若干大きい多角形状とされており、アクリル樹脂、ポリカーボネイト樹脂、ポリアリレート樹脂、メタクリル樹脂等の透明な樹脂板により形成されている。なお、遊技パネル２００の板厚は、パネルホルダ２０２によりも薄く、障害釘２０１（図１１参照）を植設しても十分に保持可能な必要最低限の厚さ（８〜１０ｍｍ）とされている。
【０２０９】
この遊技パネル２００には、上部の外周近傍に配置され前後方向に貫通する丸孔からなる複数の嵌合孔２００ａと、左右下部の外周近傍に配置され前後方向に貫通し上下方向に延びる長孔２００ｂが夫々備えられている。これら嵌合孔２００ａ及び長孔２００ｂは、遊技領域３７よりも外側に配置されており、パネルホルダ２０２との位置決めを行うものである。
【０２１０】
また、遊技パネル２００には、その上辺の両端と下辺の両端に、前側が窪んだ段状の係合段部２００ｃが夫々備えられている。この係合段部２００ｃは、遊技パネル２００の板厚の略半分を切り欠いた形態とされると共に、嵌合孔２００ａ及び長孔２００ｂと同様に、遊技領域３７によりも外側に配置されており、パネルホルダ２０２と遊技パネル２００とを係合固定するためのものである。
【０２１１】
更に、遊技パネル２００には、所定位置に内レール固定孔２００ｄが複数備えられている。この内レール固定孔２００ｄに内レール７７の後側から突出する位置決め突起７９ｄを嵌合固定させることで、内レール７７を所定の位置に固定することができるようになっている。
【０２１２】
また、遊技パネル２００には、図１１に拡大して示すように、障害釘２０１を植設するための下孔２００ｅが、遊技パネル２００を貫通するように穿設されており、この下孔２００ｅの内径は、障害釘２０１の植設側の外径よりも若干小さい径とされている。この遊技パネル２００には、下孔２００ｅが所定の位置に複数穿設されており、各下穴２００ｅに前面側から障害釘２０１を、図示しない障害釘植設装置を用いて植設することで、多数の障害釘２０１が、所定のゲージ配列となるようになっている。
【０２１３】
なお、詳細な図示は省略するが、遊技パネル２００には、多数の障害釘２０１の他に、適宜位置に風車や、一般入賞口、特別入賞口、始動口、及び中央役物等が備えられるように所定形状の貫通する開口部が形成されている。
【０２１４】
また、遊技パネル２００を押出し成形された透明な樹脂板とした場合、遊技パネル２００の上下方向を押出し方向に対して約４５度傾けた方向となるように材料取りをしても良く、これにより、遊技パネル２００の後方に配置された演出表示装置２１２のドットマトリックスが押出し成形により形成される複数の微細な成形痕と干渉して、モアレが発生するのを可及的に抑制することができ、モアレにより演出表示装置２１２に表示される演出画像が見辛くなるのを防止することができる。
【０２１５】
続いて、遊技盤５におけるパネルホルダ２０２は、正面視において遊技パネル２００を包含する大きさで外形が略四角形状とされ、従来のパチンコ機の遊技盤における木製合板からなる部材（例えば、遊技盤ベース等）の厚さと略同じ厚さ（本例では、約２０ｍｍ）とされた熱可塑性樹脂からなるものである。このパネルホルダ２０２には、図１６（Ａ）にも示すように、遊技パネル２００が着脱可能に嵌合し前面側から後方側に向かって凹んだ嵌合段部２０２ａと、嵌合段部２０２ａの内側において略遊技領域３７と同等の大きさで前後方向に貫通する貫通口２０２ｂとを主に備えている。
【０２１６】
パネルホルダ２０２の嵌合段部２０２ａは、前面からの深さが遊技パネル２００の厚さと略同じ深さとされており、嵌合段部２０２ａに嵌合された遊技パネル２００の前面がパネルホルダ２０２の前面と略同一面となるようになっている。また、この嵌合段部２０２ａは、その前側内周面が、図１１に示すように、遊技パネル２００の外周面に対して所定量のクリアランスＣが形成される大きさとされている。このクリアランスＣにより、温度変化や経時変化により相対的に遊技パネル２００が伸縮しても、その伸縮を吸収できるようになっている。なお、クリアランスＣ内にゴム等の弾性部材を詰めても良い。
【０２１７】
また、パネルホルダ２０２には、遊技パネル２００の係合段部２００ｃと対応する位置に、係合段部２００ｃと係合する被係合部が備えられている。詳述すると、この被係合部は、図１１及び図１６（Ａ）に示すように、パネルホルダ２０２下側の嵌合段部２０２ａに配置された被係合部が、遊技パネル２００における下側の係合段部２００ｃと対応し、嵌合段部２０２ａの前面との間に遊技パネルの係合段部２００ｃが挿入可能な大きさの所定の隙間を形成した状態で、パネルホルダ２０２の前面に沿って上側（中心側）に向かって所定量延びる係合突部２０２ｃとされている。一方、パネルホルダ２０２上側の嵌合段部２０２ａに配置された被係合部は、遊技パネル２００における上側の係合段部２００ｃと対応し、嵌合段部２０２ａの前面から前方に向かって突出し係合段部２００ｃと弾性係合する係合爪部２０２ｄとされている。この係合爪部２０２ｄは、その先端がパネルホルダ２０２の前面から突出しない大きさとされている。これら係合突部２０２ｃ及び係合爪部２０２ｄに遊技パネル２００の係合段部２００ｃを係合させることで、パネルホルダ２０２は、遊技パネル２００を着脱可能に保持することができるようになっている。
【０２１８】
更に、パネルホルダ２０２には、嵌合段部２０２ａに嵌合支持される遊技パネル２００に形成された嵌合孔２００ａ及び長孔２００ｂと対応する位置に配置され、嵌合段部２０２ａの前面から前方に向かって延び、遊技パネル２００の嵌合孔２００ａ及び長孔２００ｂに嵌合及び挿通可能な複数の突出ピン２０２ｅを備えている。これらの突出ピン２０２ｅを遊技パネル２００の嵌合孔２００ａ及び長孔２００ｂに嵌合及び挿通することで、パネルホルダ２０２と遊技パネル２００とを互いに位置決めすることができるようになっている。
【０２１９】
また、パネルホルダ２０２には、前構成部材７９に備えられた位置決めボス７９ｃを挿通可能な前後方向に貫通するボス挿通孔２０２ｆを備えており、このボス挿通孔２０２ｆに前構成部材７９の位置決めボス７９ｃを挿通することで、パネルホルダ２０２と前構成部材７９とが互いに位置決めされるようになっている。
【０２２０】
このパネルホルダ２０２には、図１６（Ｂ）にも示すように、その後面側に、上下方向の中央やや下方より下側と外周縁を残すように前側に所定量窪んだ形態の取付支持部２０２ｇが備えられている。パネルホルダ２０２の後面は、取付支持部２０２ｇにより、下端より所定高さまでの所定範囲より上側で、後面側外周部が後方に突出したような状態で窪んだ形態となると共に、その窪み量（深さ）が、取付支持部２０２ｇに取付固定される裏箱２１０等の所定部材のフランジ状の固定部２１０ｂを収容できる深さ（本例では、約２．５ｍｍとされており、１〜３ｍｍの間とすることが望ましい）とされている（図１１参照）。この取付支持部２０２ｇに所定の部材を取付固定することで、その固定部がパネルホルダ２０２よりも後側に突出するのを防止することができ、パネルホルダ２０２すなわち遊技盤５をパチンコ機１の遊技盤装着枠１２に確実に装着できるようになっている。
【０２２１】
また、パネルホルダ２０２の後面側には、下端より所定高さまでの所定範囲内で取付支持部２０２ｇが形成された位置より下側に形成され、前側に向かって窪みパネル裏体２０４を収容可能な収容凹部２０２ｈと、この収容凹部２０２ｈ内に前後方向に貫通するように配置されパネル裏板２０４に形成された係止爪２０４ｃを係止可能な係止部２０２ｉとを更に備えている。この収容凹部２０２ｈは、パネル裏板２０４の係止爪２０４ｃを係止部２０２ｉに係止させることでパネル裏板２０４を着脱可能に収容すると共に、収容されたパネル裏板２０４の後面が、パネルホルダ２０２の後面と略同一面となるように形成されている。
【０２２２】
更に、パネルホルダ２０２には、図示するように、後面側の取付支持部２０２ｇ内及び収容凹部２０２ｈよりも上側に配置され所定のビスのとしての小径な第一ビス２１６（図１１参照）を螺合可能な複数の第一取付孔２０２ｊと、第一取付孔２０２ｊに螺合される第一ビス２１６よりも大径の第二ビス（図示せず）が螺合可能とされ取付支持部２０２ｇ内の上側に配置される複数の第二取付孔２０２ｋとが夫々所定配列で配置されている。なお、本例では、第一ビス２１６及び第二ビスのネジ部の径が、夫々約２．１ｍｍ及び約３ｍｍとされており、第一取付孔２０２ｊ及び第二取付孔２０２ｋの径が、これら第一ビス２１６及び第二ビスを螺合可能な径とされている。
【０２２３】
また、パネルホルダ２０２には、第一取付孔２０２ｊ及び第二取付孔２０２ｋと対応するように配置される複数の位置決め孔２０２ｌが備えられている。この位置決め孔２０２ｌは、第一取付孔２０２ｊや第二取付孔２０２ｋを用いて取付固定される部材に形成された位置決め突起（例えば、裏箱２１０の固定部２１０ｂに形成された位置決め突起２１０ｃ）が挿入されるものである（図１１参照）。なお、本例では、位置決め孔２０２ｌは、背面視略矩形状の止り孔とされている。
【０２２４】
更に、パネルホルダ２０２には、少なくとも下端から所定高さまでの所定範囲では後面側に開口する複数の肉抜き部２０２ｍが形成されており、肉抜き部２０２ｍによりパネルホルダ２０２の重量が軽減されるようになっている。図１６（Ａ）にも示すように、収容凹部２０２ｈの前側、つまり、パネルホルダ２０２の膳面側の下端から所定高さまでの所定範囲内には、これらの肉抜き部２０２ｍが形成されておらず、その範囲内では、パネルホルダ２０２の前面が略平らな面となるようになっているので、その前面に配置される前構成部材７９の案内レール７８の後面が略平らな面となり、遊技球発射装置から発射された遊技球が、案内レール７８内を滑らかに案内されるようになっている。また、このパネルホルダ２０２は、図示するように、肉抜き部２０２ｍが形成されることで、第一取付孔２０２ｊや第二取付孔２０２ｋ等がボス状に形成されると共に、それらを支持したりパネルホルダ２０２の強度を維持したりするために、格子状のリブが形成された状態となっている。
【０２２５】
なお、このパネルホルダ２０２には、既存の障害釘植設装置（図示しない）や、組立治具等の位置決め手段に対応した位置決め部２０２ｎが形成されており、障害釘植設装置に遊技パネル２００を保持した状態でセットできるようになっている。また、パネルホルダ２０２の下部には、前構成部材７９の傾斜部７９ｂと連通するアウト口２１４と、前構成部材７９における案内レール７８の凹部７６ａと連通する連通孔２０２ｏが更に備えられている。
【０２２６】
次に、遊技盤５のパネル裏板２０４は、パネルホルダ２０２の後面側で下端から所定高さまでの所定範囲内の肉抜き部２０２ｍを覆うように配置されると共に、パネルホルダ２０２の収容凹部２０２ｈに後面同士が略同一面となるように収容可能とされ、図１７にも示すように、平面状の後面に所定配列で配置され第一ビス２１６を螺合可能な複数のビス孔２０４ａと、ビス孔２０４ａと対応するように配置される複数の位置決め孔２０４ｂと、パネルホルダ２０２の係止部２０２ｉに係止可能な係止爪２０４ｃと、前面側から貫通しないように陥没する減量用の凹陥部２０４ｄとを備えている。
【０２２７】
なお、このパネル裏板２０４におけるビス孔２０４ａ及び位置決め孔２０４ｂは、パネルホルダ２０２における第一取付孔２０２ｊ及び位置決め孔２０２ｌと略同じ構成とされている。また、このパネル裏板２０４もパネルホルダ２０２と同様に、凹陥部２０４ｄにより、ビス孔２０４ａ及び位置決め孔２０４ｂ等が形成された部分がボス状に形成されると共に、それらを支持したりパネル裏板２０４の強度を維持したりするために、格子状のリブが形成された状態となっている。更に、パネル裏板２０４には、パネルホルダ２０２のアウト口２１４、連通孔２０２ｏ、及びボス挿通孔２０２ｆと対応した位置に前後方向に貫通する開口２０４ｅが備えられている。
【０２２８】
このパネル裏板２０４は、図１９に示すように、パネルホルダ２０２の収容凹部２０２ｈに収容させると共に、パネル裏板２０４の係止爪２０４ｃをパネルホルダ２０２の係止部２０２ｉに係止させることで、パネルホルダ２０２と一体となり、その状態では、同図（Ｂ）に示すように、パネル裏板２０４の後面が、パネルホルダ２０２の後面と略同一面となる。このようにパネルホルダ２０２とパネル裏板２０４とを一体化することで、パネルホルダ２０４の後面側には、貫通口２０２ｂの外周側で略全周に亘って所定配列で第一取付孔２０２ｊ、第二取付孔２０２ｋ、ビス孔２０４ａ等からなる取付孔と、位置決め孔２０２ｌ及び２０４ｂが配置されることとなり、それら取付孔の存在により、所定の部材を任意の位置に取付固定できるようになっている。
【０２２９】
遊技盤５における基板ホルダ９１は、図１８に拡大して示すように、パネル裏板２０４の後面側に配置されると共に前側及び上側が開放された箱状とされ、遊技球が通過可能な大きさで遊技媒体排出口としての遊技球排出口９１ａを有し上面が遊技球排出口９１ａに向かって低くなるように傾斜した底板９１ｂと、パネル裏板２０４の後面側との間に所定量の隙間が形成される逃し部９１ｃと、後側に配置され主制御基板９４を有した主制御基板ボックス９５等を支持可能な基板支持部９１ｄとを備えている。
【０２３０】
この基板ホルダ９１は、遊技領域３７内に打ち込まれた遊技球を収集して遊技球排出口９１ａから下方へ排出することができるようになっている。また、基板ホルダ９１の逃し部９１ｃは、パネルホルダ２０２の取付支持部２０２ｇと同様に、パネル裏板２０４に取付固定された部材（図示しない）におけるフランジ状の固定部を収容できる深さ（本例では、約１ｍｍとされており、０．５〜３ｍｍの間とすることが望ましい）とされている。
【０２３１】
また、基板ホルダ９１には、その前面側の所定位置に、前構成部材７９の位置決めボス７９ｃと嵌合する筒状の固定ボス９１ｅを備えており、この固定ボス９１ｅを、前構成部材７９との間にホルダパネル２０２を挟んだ状態で、前構成部材７９の位置決めボス７９ｃと嵌合させると共に、基板ホルダ９１の後方から固定ボス９１ｅを貫通する貫通孔９１ｆを通して所定のビスを前構成部材７９の位置決めボス７９ｃにねじ込むことで、前構成部材７９、パネルホルダ２０２、及び基板ホルダ９１を固定できるようになっている。
【０２３２】
更に、この基板ホルダ９１には、図１８（Ａ）にも示すように、その前面下部に、前構成部材７９の凹部７６ａと連通する開口受部９１ｇを備えている。この開口受部９１ｇは、遊技球排出口９１ａとは異なる位置で基板ホルダ９１の下側に遊技球を誘導できるようになっており、基板ホルダ９１内部に受けられた「死球」と、遊技球を遊技領域３７内へ打ち込む際に、打ち損じた遊技球とを区別できるようになっている。
【０２３３】
なお、本例では、前構成部材７９の一部を除き、遊技パネル２００、パネルホルダ２０２、パネル裏板２０４、及び基板ホルダ９１が、熱可塑性樹脂により形成されており、それらの部材がリサイクルできるようになっている。なお、樹脂としては、アクリル樹脂、ポリカーボネート樹脂、ＡＢＳ樹脂、ポリプロピレン、ポリアリレート樹脂、メタクリル樹脂、等とすることができ、熱可塑性樹脂の他に、機能や用途に応じて適宜熱硬化性樹脂を用いても良い。また、遊技パネル２００以外に、前構成部材７９やパネルホルダ２０２、及びパネル裏板２０４等にも、透明な樹脂を用いても良い。
【０２３４】
このように、本実施形態のパチンコ機１によると、障害釘２０１が植設された遊技盤５の遊技パネル２００と演出表示装置２１２との間に透明な保護部材２０９が配置されているので、調整の際に障害釘２０１を叩いても、障害釘２０１の植設側先端が、保護部材２０９によって演出表示装置２１２に当接するのを阻止することができ、障害釘２０１の調整によって演出表示装置２１２が傷ついたり破損したりする不具合が発生するのを防止することができると共に、演出表示装置２１２等を保護部材２０９によって障害釘２０１の植設側先端から保護することができるので、遊技盤５の大きさと略同じ大きさの演出表示装置２１２を問題なく備えることができ、遊技者に対して演出画像を大画面で見せることができ、迫力のある演出画像によって遊技者を楽しませて、より興趣の高められるパチンコ機１とすることができる。
【０２３５】
また、障害釘２０１の植設側先端から演出表示装置２１２等を保護する保護部材２０９を備えているので、障害釘２０１を植設する下孔２００ｅを貫通孔としても何ら問題となることは無く、これにより、遊技パネル２００の厚さ全体を使って障害釘２０１を保持することができ、障害釘２０１の保持強度が低下するのを抑制して、遊技盤５の耐久性が低下するのを防止することができる。また、障害釘２０１用の下孔２００ｅを貫通孔とすることができるので、遊技パネル２００の厚さが増加するのを防止することが可能となり、遊技パネル２００に係るコストが増加するのを抑制することができると共に、遊技パネル２００を有した遊技盤５の重量が増加するのを抑制することができるので、遊技盤５を支持する部分を補強したり遊技盤５の取り回しがし辛くなったりするのを防止することができ、パチンコ機１に係るコストが増加するのを抑制することができる。
【０２３６】
更に、遊技パネル２００の後面側に保護部材２０９が密着配置されているので、調整の際に障害釘２０１を叩いても、障害釘２０１の植設側先端が保護部材２０９に当接して、障害釘２０１が必要以上に遊技パネル２００側へ陥没するのを防止することができ、障害釘２０１の調整の際に不具合が発生するのを防止することができる。
【０２３７】
また、遊技パネル２００と保護部材２０９とが密着しているので、保護部材２０９の前面で光が反射するのを防止することが可能となり、保護部材２０９での光の反射によって後側に配置された演出表示装置２１２等が見辛くなるのを防止することができ、遊技者の興趣が低下するのを抑制することができる。また、遊技パネル２００と保護部材２０９とが密着しているので、保護部材２０９を遊技パネル２００と一体化されることとなり、パチンコ機１の組立てに係る工程を少なくすることができ、組立てに係るコストを低減させることができる。
【０２３８】
更に、遊技パネル２００における一辺側（下側）の係合段部２００ｃをパネルホルダ２０２の係合突部２０２ｃと係合させた後に、他方の辺側（上側）の係合段部２００ｃをパネルホルダ２０２の係合爪部２０２ｄと弾性係合させることでパネルホルダ２０２に遊技パネル２００を係合保持させることができ、パネルホルダ２０２と遊技パネル２０２との着脱を容易に行わせることができる。また、遊技パネル２００の係合部（係合段部２００ｃ）とパネルホルダ２０２の被係合部（係合突部２０２ｃ及び係合爪部２０２ｄ）とを互いに係合させることで、遊技パネル２００とパネルホルダ２０２とが、その前面側が略面一となる状態で保持することができるので、従来より用いられている障害釘植設装置を改造等しなくても遊技パネル２００をパネルホルダ２０２に保持した状態で従前の障害釘植設装置にセットすることが可能となり、障害釘２０１の植設にかかるコストが増加するのを抑制することができる。
【０２３９】
また、遊技パネル２００とパネルホルダ２０２とを互いに係合させる係合爪部２０２ｄが、パネルホルダ２０２の前面から突出しないように備えられているので、パネルホルダ２０２に遊技パネル２００を保持させた状態で、遊技盤５（遊技パネル２００やパネルホルダ２０２）の前面に沿って障害釘植設装置等の加工装置を作動（移動）させても、加工装置が係合爪部２０２ｄに当接することが無く、加工装置を用いて遊技盤５に対し所定の加工（例えば、障害釘２０１の植設など）を良好に行わせることができる。
【０２４０】
更に、パネルホルダ２０２に、既存の障害釘植設装置の位置決め手段と対応した位置決め部２０２ｎを備えており、遊技パネル２００を支持するパネルホルダ２０２を既存の障害釘植設装置にセットすることが可能となるので、既存の障害釘植設装置により遊技パネル２００に障害釘２０１を植設することができ、障害釘植設装置を改造したり新造したりする必要が無く、パチンコ機１の製造にかかるコストが増加するのを抑制することができる。
【０２４１】
また、パネルホルダ２０２における後面側の下端から所定範囲内に形成された肉抜き部２０２ｍを覆うように平面状のパネル裏板２０４を配置すると共に、パネル裏板２０４によりその後面側に配置される基板ホルダ９１の開放された前側を閉鎖することができるので、各種入賞口やアウト口２１４等に受入れられた遊技球を排出するために、遊技パネル２００やパネルホルダ２０２の後面に沿うように流下した遊技球や、基板ホルダ９１により収集された遊技球が、パネルホルダ２０２の後面側に形成された肉抜き部２０２ｍ内に侵入したり、肉抜き部２０２ｍの開口に接触したりして、遊技球が本来とは懸離れた意図しない動きや、遊技球が停滞する等により遊技球の流通に不具合が生じ、遊技に影響が及ぼされるのを防止することができる。
【０２４２】
更に、パネルホルダ２０２の肉抜き部２０２ｍを、パネルホルダ２０２の下端から所定範囲内までは後面側に開口するように形成しているので、その部位の前面側を平坦な面とすることができ、その前面側に前構成部材７９の案内レール７８を配置することで、案内レール７８により遊技球を円滑に案内させることができる。
【０２４３】
また、パネルホルダ２０２に、その後面がパネル裏板２０４の後面と略同一面となるようにパネル裏板２０４を収容可能な収容凹部２０２ｈを形成しており、パネルホルダ２０２とパネル裏板２０４の後面を略同一面とすることができるので、パネルホルダ２０２とパネル裏板２０４との境界部において前後方向に段が形成されるのを回避することができ、パネルホルダ２０２の後面側に沿って流下する遊技球をパネル裏板２０４の後面側へスムーズに受け渡すことができる。また、パネルホルダ２０２の後面側からパネル裏板２０４が後方へ突出するのを防止することができるので、パネルホルダ２０２つまり遊技盤５をパチンコ機１における遊技盤装着枠１２に確実に装着固定することができる。
【０２４４】
更に、係止部２０２ｉと係止爪２０４ｃとを互いに係止させるだけで容易にパネルホルダ２０２にパネル裏板２０４を固定させることができるので、組立にかかる手間を簡略化することができると共に、係止部２０２ｉと係止爪２０４ｃとを簡単に係止を解除することができるので、パチンコ機１を分解する際に、パネルホルダ２０２からパネル裏板２０４を容易に取外すことができ、分解にかかる手間も簡略化することができる。
【０２４５】
また、パネル裏板２０４の前面側に減量用の凹陥部２０４ｄを形成しているので、これにより、パネル裏板２０４の重量を軽減させることができると共に、パネル裏板２０４に用いる材料の量を減らすことができ、パネル裏板２０４にかかるコストを低減させることができる。
【０２４６】
更に、遊技盤５におけるパネルホルダ２０２の後面側、具体的には、パネル裏板２０４の後面側に、箱状の基板ホルダ９１が備えられているので、遊技領域３７内の何れの位置に各種入賞口やアウト口等が配置されていても、それら入賞口等に受入れられることで遊技パネル２００の後方側に誘導されて排出される遊技球を箱状の基板ホルダ９１により収集して、所定位置に配置された遊技球排出口９１ａから排出させることができる。つまり、入賞口等を遊技領域３７の何れの位置に配置しても遊技球を確実に排出することができるので、パチンコ機１の機種を変更して入賞口等の位置が変化しても、基板ホルダ９１を変更することなく遊技球を確実に排出させることができ、基板ホルダ９１を共通パーツとすることが可能となり、パチンコ機１にかかるコストが増加するのを抑制することができる。
【０２４７】
また、基板ホルダ９１には、パネル裏板２０４の後面との間に所定量の隙間を形成する逃し部９１ｃを備えているので、この逃し部９１ｃ内に、パネルホルダ２０２の後面側に配置されたパネル裏板２０４のビス孔２０４ａに取付けられる所定の部材（例えば、各種入賞口や受入口、演出用役物、装飾用役物、装飾部材、裏箱、演出表示手段等）に備えられたフランジ状の固定部が収納配置されるようにすることで、固定部がパネルホルダ２０２やパネル裏板２０４への基板ホルダ９１の取付けの妨げとなるのを回避することができ、基板ホルダ９１及び所定の部材を夫々パネル裏板２０４の後面側に確実に取付固定することができる。また、基板ホルダ９１に逃し部９１ｃが備えられており、基板ホルダ９１が配置された位置と略同じ位置に所定の部材を配置してパネルホルダ２０２（パネル裏板２０４）に取付固定することができるので、パネルホルダ２０２やパネル裏板２０４に対して所定の部材を任意の位置に自由に配置することができ、パチンコ機１の設計自由度を高めて遊技者の興趣が高められるものとすることができる。
【０２４８】
更に、パネルホルダ２０２の後面側に、前側に窪んだ形態の取付支持部２０２ｇが備えられているので、この取付支持部２０２ｇに所定の部材として例えば、裏箱２１０の固定部２１０ｂを取付固定することで、固定部２１０ｂがパネルホルダ２０２ｇの後面から後側に突出するのを防止することができ、パネルホルダ２０２すなわち遊技盤５を、パチンコ機１における遊技盤装着枠１２に確実に装着固定することができる。つまり、パチンコ機１における遊技盤装着枠１２を加工（変更）しなくても遊技盤５を装着することができるので、遊技盤装着枠１２を機種に依存しない共通パーツとすることができ、パチンコ機１にかかるコストが増加するのを防止することができる。
【０２４９】
また、取付支持部２０２ｇをパネルホルダ２０２の外周付近に配置しており、取付固定される裏箱２１０（所定の部材）の固定部２１０ｂを可及的にパネルホルダ２０２の外周縁に近づけることができるので、よりパネルホルダ２０２の外周近くまで裏箱２１０を固定配置することが可能となり、より大きな裏箱２１０等の所定の部材を取付固定したり、遊技盤５の略全体に亘って裏箱２１０等の所定の部材を配置したりすることができると共に、取付固定される所定の部材（例えば、裏箱２１０等）によって広がりのある演出や装飾を行うことができ、遊技者の興趣を高められるものとすることができる。
【０２５０】
また、パネルホルダ２０２における後面側の外周部が後側に突出したような状態となるように取付支持部２０２ｇが備えられており、遊技盤５を装着する枠状の遊技盤装着枠１２に対して当接するパネルホルダ２０２の外周部をパネルホルダ２０２の最も後側に位置する端部とすることができるので、取付支持部２０２ｇに所定の部材の固定部（例えば、裏箱２１０等）を取付固定しても、パネルホルダ２０２すなわち遊技盤５をパチンコ機１の遊技盤装着枠１２に確実に装着させることができる。
【０２５１】
更に、遊技領域３７を有した遊技盤５を、遊技パネル２００、パネルホルダ２０２、及び前構成部材７９に分割するようにしているので、パチンコ機１の機種によって障害釘や入賞口等の位置が変化する遊技パネル２００を交換パーツとすると共に、パネルホルダ２０２及び前構成部材７９を共通パーツとすることができ、パネルホルダ２０２や前構成部材７９等をリサイクル可能とすることができると共に遊技パネル２００のみを交換するだけで種々の機種に対応可能な遊技盤５を備えたパチンコ機１とすることができる。
【０２５２】
また、機種に応じてパネルホルダ２０２に取付固定される入賞口や各種役物等の種々の所定の部材の取付固定位置が異なる位置となっていても、パネルホルダ２０２に予め複数の第一取付孔２０２ｊや第二取付孔２０２ｋが所定配列で備えられているので、各種部材の固定部を第一取付孔２０２ｊや第二取付孔２０２ｋの位置と対応させるように設計することで、パネルホルダ２０２を機種に依存しないパチンコ機１の共通パーツとすることができ、機種を変更してもパネルホルダ２０２の成形型を流用することができるので、パチンコ機１に係るコストを低減させることができる。
【０２５３】
更に、遊技パネル２００とパネルホルダ２０２とを分割するようにすると共にパネルホルダ２０２を共通パーツとすることができるので、一体成形する場合と比較して、機種を変更する度に遊技盤５全体の大きさに相当する大型の成形型を新たに製作する必要が無く、機種変更に係るコストが増加するのを抑制することができる。
【０２５４】
また、遊技パネル２００をパネルホルダ２０２の嵌合段部２０２ａに着脱可能に嵌合させた上で、係合段部２００ｃと係合突部２０２ｃ及び係合爪部２０２ｄとを互いに係合させることで着脱自在に係合保持するようにしており、接着固定していないので、遊技パネル２００とパネルホルダ２０２とを組立てるための組立工数が増加するのを抑制することができると共に、遊技パネル２００とパネルホルダ２０２とを容易に着脱することができるので、組立や、廃棄処分時等の分解に係る手間を簡略化することができる。
【０２５５】
更に、遊技パネル２００がパネルホルダ２０２の嵌合段部２０２ａに嵌合されるので、パネルホルダ２０２の厚み内に遊技パネル２００の厚みを収めることが可能となり、遊技盤５を遊技パネル２００、パネルホルダ２０２や、前構成部材７９等に分割される構成としても、その厚さが増加するのを抑制することができる。従って、遊技盤５を既存のものと略同等の大きさのものとすることができるので、パチンコ機１における遊技盤５以外の部分を既存のものと共通化することができると共に、既存の製造ラインに載せることができ、製造に係るコストが増加するのを抑制することができる。
【０２５６】
また、一般的な重量の部材をパネルホルダ２０２に取付固定する場合は、全周に配置された第一取付孔２０２ｊを用いて取付固定し、重量の重い部材をパネルホルダ２０２に取付固定する場合には、上側に配置された大径の第二ビスが螺合される第二取付孔２０２ｋを用いて取付固定するようにすることができるので、重量の重い部材を大径の第二ビスにより固定して、その部材を確実に取付固定することができる。
【０２５７】
更に、パネルホルダ２０２に、第一取付孔２０２ｊや第二取付孔２０２ｋと対応する位置に位置決め孔２０２ｌを備えるようにしているので、これにより、パネルホルダ２０２に所定の部材を取付固定する際に、所定の部材に備えられた位置決め突起（例えば、裏箱２１０の位置決め突起２１０ｃ）を位置決め孔２０２ｌに挿入させることで、パネルホルダ２０２と所定の部材との位置関係を正しい位置にすることができ、組付け性を向上させることができる。
【０２５８】
また、パネルホルダ２０２に、少なくとも後面側に開口する複数の肉抜き部２０２ｍを備えるようにしているので、これにより、パネルホルダ２０２を軽量化することができ、従来の木製合板からなるものと比較して、遊技盤５の重量が増加するのを抑制することができる。また、パネルホルダ２０２に樹脂を用いているので、射出成形等により複数の肉抜き部２０２ｍを容易に形成することができる。
【０２５９】
更に、少なくとも遊技パネル２００を透明部材により構成するようにしており、従来のパチンコ機１のように遊技盤５に開口部を備えなくても、遊技パネル２００を通して遊技盤５の後方に配置された演出表示手装置２１２を視認することができるので、遊技領域３７における実際に遊技球が流下可能な領域を可及的に広くすることができ、遊技球に種々の動きをさせて遊技者の興趣が低下するのを防止することができる。また、遊技領域３７が形成される遊技パネル２００を透明部材により構成するようにしているので、遊技パネル２００の後方に配置したものを遊技者に視認させることができ、例えば、遊技パネル２００の後方に、遊技領域３７全体に広がる大型の演出表示装置２１２を配置してこれまでにない大型の演出画像を表示したり、種々の演出用や装飾用の役物を奥行き方向に配置してこれまでに無い奥行感のある遊技盤５の構成としたりすることができ、遊技者の関心を引き付けられる訴求力の高いパチンコ機１とすることができる。
【０２６０】
また、遊技パネル２００の少なくとも略対向する二辺に係合部としての係合段部２００ｃを備えると共に、パネルホルダ２０２に遊技パネル２００の係合段部２００と係合する被係合部としての係合突部２０２ｃ及び係合爪部２０２ｄを備えるようにしており、遊技パネル２００の係合段部２００ｃとパネルホルダ２０２の係合突部２０２ｃ及び係合爪部２０２ｄとを互いに係合させることで、遊技パネル２００をパネルホルダ２０２に容易に支持させることができる。
【０２６１】
更に、遊技パネル２００の外周とパネルホルダ２０２との間に所定量のクリアランスＣが形成されるようにしており、このクリアランスＣによって、温度変化や経時変化により相対的に遊技パネル２００が伸縮しても、遊技パネル２００がパネルホルダ２０２から脱落したりガタ付いたり、或いは遊技パネル２００とパネルホルダ２０２とが互いに押圧し合って歪みが発生したりするような異常が発生するのを防止することができ、異常の発生により遊技球が意図しない動きをしたり、遊技パネル２００やパネルホルダ２０２等が破損したり、遊技を中断しなければならない状態となったりするのを防止して、遊技者の興趣が低下するのを抑制することができる。
【０２６２】
また、パネルホルダ２０２の嵌合段部２０２ａに少なくとも二つの突出ピン２０２ｅを備えるようにすると共に、遊技パネル２００に突出ピン２０２ｅと嵌合する嵌合孔２００ａと長孔２００ｂとを少なくとも一つずつ備えるようにしており、遊技パネル２００の嵌合孔２００ａ及び長孔２００ｂに、パネルホルダ２０２の突出ピン２０２ｅを嵌合及び挿通させることで、容易に遊技パネル２００をパネルホルダ２０２に位置決めすることができると共に、遊技パネル２００等が温度変化や経時変化等によって伸縮しても、遊技パネル２００の長孔２００ｂにおいて固定位置が可動（スライド）して伸縮が許容されるので、位置決めした状態でも遊技パネル２００とパネルホルダ２０２との間に応力が作用するのを防止して、応力がかかることで遊技盤５が歪むのを防止することができる。
【０２６３】
以上、本発明について好適な実施形態を挙げて説明したが、本発明はこれらの実施形態に限定されるものではなく、以下に示すように、本発明の要旨を逸脱しない範囲において、種々の改良及び設計の変更が可能である。
【０２６４】
すなわち、上記実施形態では、遊技機としてパチンコ機１に適用したものを示したが、これに限定するものではなく、パチスロ機や、パチンコ機とパチスロ機とを融合させてなる遊技機に、適用しても良く、この場合でも、上記と同様の作用効果を奏することができる。
【０２６５】
また、本実施形態では、透明な遊技パネル２００を通して後方に配置した演出表示装置２１２が遊技者から視認可能となるものを示したが、例えば、遊技パネル２００に枠状の中央役物を固定する開口を形成し、その開口を通して後方に配置された演出表示装置が視認できるようにしても良い。また、演出表示装置２１２を支持する裏箱２１０内に、可動役物や、可動する可動装飾体等を配置するようにしても良く、この場合でも、遊技パネル２００に植設された障害釘２０１を叩いて調整しても、保護部材２０９によって障害釘２０１の植設側先端が可動役物（演出可動役物）や可動装飾体（演出装飾体）等に当接するのを防止することができ、障害釘２０１の調整の際に不具合が発生するのを防止することができるパチンコ機１とすることができる。
【図面の簡単な説明】
【０２６６】
【図１】パチンコ機の前側全体を示す正面図である。
【図２】パチンコ機の外枠の一側に本体枠が開かれ、その本体枠の一側に更に前面枠が開かれた状態を示す斜視図である。
【図３】パチンコ機の本体枠と遊技盤とを分離して斜め右上前方から示す斜視図である。
【図４】パチンコ機の後側全体を示す背面図である。
【図５】パチンコ機の後側全体を右上後方から示す斜視図である。
【図６】図５に示すパチンコ機の斜視図から後カバー体及び各種制御基板等を取り外した状態を示す斜視図である。
【図７】パチンコ機の本体枠に各種部材が組み付けられた状態を斜め右上後方から示す斜視図である。
【図８】本体枠単体を斜め右上後方から示す斜視図である。
【図９】主要な部材により構成された遊技盤を斜め前方から示す斜視図である。
【図１０】図９に示す遊技盤を斜め後方から示す斜視図である。
【図１１】遊技盤を縦方向に切断して示す断面図である。
【図１２】遊技盤を分解して斜め前方から示す分解斜視図である。
【図１３】遊技盤を分解して斜め後方から示す分解斜視図である。
【図１４】（Ａ）は前構成部材を斜め前方から示す斜視図であり、（Ｂ）は前構成部材を斜め後方から示す斜視図である。
【図１５】（Ａ）は遊技パネルを斜め前方から示す斜視図であり、（Ｂ）は遊技パネルを斜め後方から示す斜視図である。
【図１６】（Ａ）はパネルホルダを斜め前方から示す斜視図であり、（Ｂ）はパネルホルダを斜め後方から示す斜視図である。
【図１７】（Ａ）はパネル裏板を斜め前方から示す斜視図であり、（Ｂ）はパネル裏板を斜め後方から示す斜視図である。
【図１８】（Ａ）は基板ホルダを斜め前方から示す斜視図であり、（Ｂ）は基板ホルダを斜め後方から示す斜視図である。
【図１９】（Ａ）はパネルホルダとパネル裏板とを分解して示す分解斜視図であり、（Ｂ）はパネルホルダにパネル裏板を組付けた状態で示す組立斜視図である。
【符号の説明】
【０２６７】
Ｃ  クリアランス
１  パチンコ機
５  遊技盤
１２  遊技盤装着枠
７６  外レール
７７  内レール
７８  案内レール
７９  前構成部材
９１  基板ホルダ
９１ａ  遊技球排出口（遊技媒体排出口）
９１ｂ  底部（底板）
９１ｃ  逃し部
９１ｄ  基板支持部
９４  主制御基板
９５  主制御基板ボックス
２００  遊技パネル
２００ａ  嵌合孔
２００ｂ  長孔
２００ｃ  係合段部（係合部）
２００ｅ  下孔
２０１  障害釘
２０２  パネルホルダ
２０２ａ  嵌合段部
２０２ｂ  貫通口
２０２ｃ  係合突部（被係合部）
２０２ｄ  係合爪部（被係合部）
２０２ｅ  突出ピン
２０２ｆ  ボス挿通孔
２０２ｇ  取付支持部
２０２ｈ  収容凹部
２０２ｉ  係止部
２０２ｊ  第一取付孔（取付孔）
２０２ｋ  第二取付孔（取付孔）
２０２ｌ  位置決め孔
２０２ｍ  肉抜き部
２０４  パネル裏板
２０４ａ  ビス孔
２０４ｂ  位置決め孔
２０４ｃ  係止爪
２０４ｄ  凹陥部
２０４ｅ  開口
２０９  保護部材
２１０  裏箱
２１０ａ  開口部
２１０ｂ  固定部
２１０ｃ  位置決め突起
２１２  演出表示装置（演出手段）
２１４  アウト口
２１６  第一ビス
【図１】
2008148735.tif 000003
【図２】
2008148735.tif 000004
【図３】
2008148735.tif 000005
【図４】
2008148735.tif 000006
【図５】
2008148735.tif 000007
【図６】
2008148735.tif 000008
【図７】
2008148735.tif 000009
【図８】
2008148735.tif 000010
【図９】
2008148735.tif 000011
【図１０】
2008148735.tif 000012
【図１１】
2008148735.tif 000013
【図１２】
2008148735.tif 000014
【図１３】
2008148735.tif 000015
【図１４】
2008148735.tif 000016
【図１５】
2008148735.tif 000017
【図１６】
2008148735.tif 000018
【図１７】
2008148735.tif 000019
【図１８】
2008148735.tif 000020
【図１９】
2008148735.tif 000021